(57)【特許請求の範囲】
【請求項１】
空調空間を有する空調室に空気を給気する給気装置と、前記空調室から空気を排気する排気装置と、前記空調室への空気の給気量と該空調室からの空気の排気量との少なくとも一方を調節可能な流量調節装置と、所定の箇所における空気の基準圧を前記流量調節装置に伝達する基準圧伝達装置とを備え、前記空調室の室内気圧を前記基準圧よりも高い陽圧または該基準圧よりも低い負圧に保持する室内気圧調節システムにおいて、
前記基準圧伝達装置が、一方向へ長い長尺の可撓性を有する中空管から形成され、前記中空管が、空気第１出入口を有する検出端部と、空気第２出入口を有して前記流量調節装置に接続された接続端部と、前記検出端部と前記接続端部との間に位置してコイル状に巻かれた中間部とを備え、
前記中空管の検出端部と前記コイル状に巻かれた中間部とが、空気流通窓を有して建造物近傍の屋外に設置された通気性の筐体内部に収容され、前記中空管の接続端部が、前記筐体から外側に露出し、
前記流量調節装置が、前記空調室の室内気圧と前記中空管から伝達された基準圧との差圧を計測する差圧計測手段と、前記差圧計測手段によって計測した差圧に基づいて、前記基準圧に対する前記室内気圧を陽圧または負圧に保持するために前記空気の給排気量の少なくとも一方を調節する流量調節手段とを実行することを特徴とする室内気圧調節システム。
【請求項２】
前記筐体が、互いに対向する頂底壁と前記頂底壁の間に延びる前後壁と前記頂底壁の間に延びる両側壁とから形成された六面体の箱であり、前記空気流通窓が、前記前後壁と前記両側壁とのうちの少なくとも一方に作られている請求項１に記載の室内気圧調節システム。
【請求項３】
前記室内気圧調節システムでは、前記空調室の室内気圧がリアルタイムで連続的に検知され、前記基準圧が前記中空管からリアルタイムで連続的に伝達され、前記差圧計測手段が、前記室内気圧と前記基準圧との差圧をリアルタイムで連続的に計測する請求項１または請求項２に記載の室内気圧調節システム。
【請求項４】
前記室内気圧調節システムが、２つ以上の空調室への空気の給気量とそれら空調室からの空気の排気量とのいずれかを調節可能な２つ以上の流量調節装置と、前記中空管によって伝達される基準圧を前記２つ以上の流量調節装置に分配する分配器とを含み、前記中空管の接続端部が、前記分配器に接続されているとともに、前記分配器から２つ以上に分岐してそれら流量調節装置に接続されている請求項１ないし請求項３いずれかに記載の室内気圧調節システム。
【請求項５】
前記中空管の検出端部が、前記中間部から少なくとも２つに分岐している請求項１ないし請求項４いずれかに記載の室内気圧調節システム。
【請求項６】
前記中空管が、前記接続端部から分岐する少なくとも２つの前記中間部と、それら中間部につながる少なくとも２つの前記検出端部とを有する請求項１ないし請求項５いずれかに記載の室内気圧調節システム。
【請求項７】
少なくとも２つの前記検出端部の一方が、第１の方角における屋外に設置され、前記検出端部の他方が、前記第１の方角とは反対の第２の方角に設置されている請求項６に記載の室内気圧調節システム。
【請求項８】
前記中空管の検出端部が、閉塞先端と前記閉塞先端から続く周側面とを有し、前記空気第１出入口が、前記周側面に形成されている請求項１ないし請求項７いずれかに記載の室内気圧調節システム。
【請求項９】
前記空気第１出入口が、前記周側面に複数個形成され、前記空気第１出入口の開口面積が、１０〜２０ｍｍ２の範囲にある請求項８に記載の室内気圧調節システム。
【請求項１０】
前記中空管の検出端部から接続端部までの長さが、５０〜５００ｍの範囲にあり、前記中空管の検出端部と接続端部と中間部と内径が、４〜２０ｍｍの範囲にある請求項１ないし請求項９いずれかに記載の室内気圧調節システム。
【請求項１１】
前記中空管は、前記検出端部と前記接続端部との圧力差±１０〜±１５０Ｐａの範囲における該検出端部近傍の気圧変動に対して中空管内部の静圧を安定させる請求項１ないし請求項１０いずれかに記載の室内気圧調節システム。
【請求項１２】
前記流量調節装置が、前記差圧を計測する微差圧計と、ダンパ開度によって前記空調室への空気の給気量と該空調室からの空気の排気量とのいずれかを調節可能なモーターダンパとから形成されている請求項１ないし請求項１１いずれかに記載の室内気圧調節システム。
【請求項１３】
空調空間を有する空調室に空気を給気する給気装置と、前記空調室から空気を排気する排気装置と、前記空調室への空気の給気量と該空調室からの空気の排気量との少なくとも一方を調節可能な流量調節装置と、所定の箇所における空気の基準圧を前記流量調節装置に伝達する基準圧伝達装置とを備え、前記空調室の室内気圧を前記基準圧よりも高い陽圧または該基準圧よりも低い負圧に保持する室内気圧調節方法において、
前記基準圧伝達装置が、一方向へ長い長尺の可撓性を有する中空管から形成され、前記中空管が、空気第１出入口を有する検出端部と、空気第２出入口を有して前記流量調節装置に接続された接続端部と、前記検出端部と前記接続端部との間に位置してコイル状に巻かれた中間部とを備え、
前記中空管の検出端部と前記コイル状に巻かれた中間部とが、空気流通窓を有して建造物近傍の屋外に設置された通気性の筐体内部に収容され、前記中空管の接続端部が、前記筐体から外側に露出し、
前記流量調節装置が、前記空調室の室内気圧と前記中空管から伝達された基準圧との差圧を計測するとともに、計測した差圧に基づいて、前記基準圧に対する前記室内気圧を陽圧または負圧に保持するために前記空気の給排気量の少なくとも一方を調節することを特徴とする室内気圧調節方法。
【請求項１４】
前記筐体が、互いに対向する頂底壁と前記頂底壁の間に延びる前後壁と前記頂底壁の間に延びる両側壁とから形成された六面体の箱であり、前記空気流通窓が、前記前後壁と前記両側壁とのうちの少なくとも一方に作られている請求項１３に記載の室内気圧調節方法。
【請求項１５】
前記室内気圧調節方法では、前記空調室の室内気圧がリアルタイムで連続的に検知され、前記基準圧が前記中空管からリアルタイムで連続的に伝達されるとともに、前記室内気圧と前記基準圧との差圧をリアルタイムで連続的に計測する請求項１３または請求項１４に記載の室内気圧調節方法。
【請求項１６】
前記室内気圧調節方法が、２つ以上の空調室への空気の給気量とそれら空調室からの空気の排気量とのいずれかを調節可能な２つ以上の流量調節装置と、前記中空管によって伝達される基準圧を前記２つ以上の流量調節装置に分配する分配器とを含み、前記中空管の接続端部が、前記分配器に接続されているとともに、前記分配器から２つ以上に分岐してそれら流量調節装置に接続されている請求項１３ないし請求項１５いずれかに記載の室内気圧調節方法。
【発明の詳細な説明】
【技術分野】
【０００１】
本発明は、外気の気圧が変化した場合であっても、室内気圧制御のための基準圧を安定して計測し、空調空間を有する空調室の室内気圧を陽圧または負圧に保持する室内気圧調節システムおよび室内気圧調節方法に関する。
【背景技術】
【０００２】
空気取り入れ用に設置されるダクトの中間部にベンチュリ流量計を備え、ダクトの上端部に裾空きのフードをそのフードの下端縁部がダクトの上端縁より下になるように被せた形で取り付け、ダクトのフードの下端縁部よりも上の部分に全周にわたって仕切り板を取り付けるとともに、ダクトの上端縁に内側に傾斜する傾斜板を取り付けた空気取り入れ用吸気筒がある（特許文献２参照）。
【０００３】
特許文献１に開示の空気取り入れ用吸気筒は、外気圧が大きく変動したとしても、それによってベンチュリ流量計の計測値が真の値から外れるという不具合を解消することができ、吸気筒からの空気取り入れ流量の計測値を真の流量に一致させることができる。
【先行技術文献】
【特許文献】
【０００４】
【特許文献１】特開平１０−１６０５３１号公報
【発明の概要】
【発明が解決しようとする課題】
【０００５】
前記特許文献１に開示の空気取り入れ用吸気筒は、外気の大きな変動に対してベンチュリ流量計の計測値を真の値に保持することはできるが、吸気筒の空気圧の振幅の変動を小さくすることができず、さらに、吸気筒の空気圧の周期を長くすることができないから、外気が変動した場合における吸気筒内部の静圧を安定させることができない。
【０００６】
なお、外気の気圧の変動に対して静圧を安定化させることができないと、その静圧を基準圧とする場合において、所定の箇所における空気の基準圧の不規則かつ急激な変化を防ぐことができない。そして、不規則かつ急激に変化する基準圧を室内気圧の制御動作の比較値に使用すると、制御動作に誤作動や過作動を生じる場合があるとともに、その基準圧に対する室内気圧を基準圧よりも高い陽圧または基準圧よりも低い負圧に保持することができない場合がある。
【０００７】
本発明の目的は、気圧の変動に対して安定した基準圧を伝達することができ、基準圧に対する空調室の室内気圧を陽圧または負圧に保持することができる室内気圧調節システムを提供する。
【課題を解決するための手段】
【０００８】
前記課題を解決するための本発明の第１の前提は、空調空間を有する空調室に空気を給気する給気装置と、空調室から空気を排気する排気装置と、空調室への空気の給気量と空調室からの空気の排気量との少なくとも一方を調節可能な流量調節装置と、所定の箇所における空気の基準圧を流量調節装置に伝達する基準圧伝達装置とを備え、空調室の室内気圧を基準圧よりも高い陽圧または基準圧よりも低い負圧に保持する室内気圧調節システムである。
【０００９】
前記第１の前提における本発明の室内気圧調節システムの特徴は、基準圧伝達装置が一方向へ長い長尺の可撓性を有する中空管から形成され、中空管が、空気第１出入口を有する検出端部と、空気第２出入口を有して流量調節装置に接続された接続端部と、検出端部と接続端部との間に位置してコイル状に巻かれた中間部とを備え、中空管の検出端部とコイル状に巻かれた中間部とが空気流通窓を有して建造物近傍の屋外に設置された通気性の筐体内部に収容され、中空管の接続端部が筐体から外側に露出し、流量調節装置が、空調室の室内気圧と中空管から伝達された基準圧との差圧を計測する差圧計測手段と、差圧計測手段によって計測した差圧に基づいて、基準圧に対する室内気圧を陽圧または負圧に保持するために空気の給排気量の少なくとも一方を調節する流量調節手段とを実行することにある。
【００１０】
本発明にかかる室内気圧調節システムの一例としては、筐体が、互いに対向する頂底壁と頂底壁の間に延びる前後壁と頂底壁の間に延びる両側壁とから形成された六面体の箱であり、空気流通窓が前後壁と両側壁とのうちの少なくとも一方に作られている。
【００１１】
本発明にかかる室内気圧調節システムの他の一例としては、室内気圧調節システムでは、前記空調室の室内気圧がリアルタイムで連続的に検知され、前記基準圧が前記中空管からリアルタイムで連続的に伝達され、前記差圧計測手段が、前記室内気圧と前記基準圧との差圧をリアルタイムで連続的に計測する。
【００１２】
本発明にかかる室内気圧調節システムの他の一例としては、室内気圧調節システムが、２つ以上の空調室への空気の給気量とそれら空調室からの空気の排気量とのいずれかを調節可能な２つ以上の流量調節装置と、中空管によって伝達される基準圧を２つ以上の流量調節装置に分配する分配器とを含み、中空管の接続端部が分配器に接続されているとともに分配器から２つ以上に分岐してそれら流量調節装置に接続されている。
【００１３】
本発明にかかる室内気圧調節システムの他の一例としては、中空管の検出端部が中間部から少なくとも２つに分岐している。
【００１４】
本発明にかかる室内気圧調節システムの他の一例としては、中空管が、接続端部から分岐する少なくとも２つの中間部と、それら中間部につながる少なくとも２つの検出端部とを有する。
【００１５】
本発明にかかる室内気圧調節システムの他の一例としては、少なくとも２つの検出端部の一方が第１の方角における屋外に設置され、検出端部の他方が第１の方角とは反対の第２の方角に設置されている。
【００１６】
本発明にかかる室内気圧調節システムの他の一例としては、中空管の検出端部が閉塞先端と閉塞先端から続く周側面とを有し、空気第１出入口が周側面に形成されている。
【００１７】
本発明にかかる室内気圧調節システムの他の一例としては、空気第１出入口が周側面に複数個形成され、空気第１出入口の開口面積が１０〜２０ｍｍ２の範囲にある。
【００１８】
本発明にかかる室内気圧調節システムの他の一例としては、中空管の検出端部から接続端部までの長さが５０〜５００ｍの範囲にあり、中空管の検出端部と接続端部と中間部と内径が４〜２０ｍｍの範囲にある。
【００１９】
本発明にかかる室内気圧調節システムの他の一例として、中空管は、検出端部と接続端部との圧力差±１０〜±１５０Ｐａの範囲における検出端部近傍の気圧変動に対して中空管内部の静圧を安定させる。
【００２０】
本発明にかかる室内気圧調節システムの他の一例としては、流量調節装置が、差圧を計測する微差圧計と、ダンパ開度によって空調室への空気の給気量と空調室からの空気の排気量とのいずれかを調節可能なモーターダンパとから形成されている。
【００２１】
前記課題を解決するための本発明の第２の前提は、空調空間を有する空調室に空気を給気する給気装置と、空調室から空気を排気する排気装置と、空調室への空気の給気量と空調室からの空気の排気量との少なくとも一方を調節可能な流量調節装置と、所定の箇所における空気の基準圧を前記流量調節装置に伝達する基準圧伝達装置とを備え、空調室の室内気圧を基準圧よりも高い陽圧または基準圧よりも低い負圧に保持する室内気圧調節方法である。
【００２２】
前記第２の前提における本発明の室内気圧調節方法の特徴は、基準圧伝達装置が一方向へ長い長尺の可撓性を有する中空管から形成され、中空管が、空気第１出入口を有する検出端部と、空気第２出入口を有して流量調節装置に接続された接続端部と、検出端部と接続端部との間に位置してコイル状に巻かれた中間部とを備え、中空管の検出端部とコイル状に巻かれた中間部とが空気流通窓を有して建造物近傍の屋外に設置された通気性の筐体内部に収容され、中空管の接続端部が筐体から外側に露出し、流量調節装置が、空調室の室内気圧と中空管から伝達された基準圧との差圧を計測するとともに、計測した差圧に基づいて、基準圧に対する室内気圧を陽圧または負圧に保持するために空気の給排気量の少なくとも一方を調節することにある。
【００２３】
本発明にかかる室内気圧調節方法の一例としては、筐体が、互いに対向する頂底壁と頂底壁の間に延びる前後壁と頂底壁の間に延びる両側壁とから形成された六面体の箱であり、空気流通窓が前後壁と両側壁とのうちの少なくとも一方に作られている。
【００２４】
本発明にかかる室内気圧調節方法の他の一例として、室内気圧調節方法では、空調室の室内気圧がリアルタイムで連続的に検知され、基準圧が中空管からリアルタイムで連続的に伝達されるとともに、室内気圧と基準圧との差圧をリアルタイムで連続的に計測する。
【００２５】
本発明にかかる室内気圧調節方法の他の一例としては、室内気圧調節方法が、２つ以上の空調室への空気の給気量とそれら空調室からの空気の排気量とのいずれかを調節可能な２つ以上の流量調節装置と、中空管によって伝達される基準圧を２つ以上の流量調節装置に分配する分配器とを含み、中空管の接続端部が、分配器に接続されているとともに、分配器から２つ以上に分岐してそれら流量調節装置に接続されている。
【発明の効果】
【００２６】
本発明にかかる室内気圧調節システムによれば、空調室の室内気圧と中空管から伝達された基準圧との差圧を計測し、計測した室内気圧と基準圧との差圧に基づいて、流量調節装置が基準圧に対する室内気圧を陽圧または負圧に保持するために空気の給排気量の少なくとも一方を調節するから、空調室の室内気圧を基準圧よりも高い陽圧または基準圧よりも低い負圧に保持することができる。室内気圧調節システムは、所定の箇所における空気の基準圧の計測に一方向へ長い長尺の可撓性を有する中空管が使用され、風の影響によって空気第１出入口を有する検出端部の近傍の気圧が変動したとしても、コイル状に巻かれた中空管の内部の圧力抵抗によって気圧の変動に対する中空管内部における静圧の振幅の変動が検出端部から接続端部に向かって次第に小さくなるとともに、気圧の変動に対する中空管内部における静圧の周期が検出端部から接続端部に向かって次第に長くなるから、気圧の変動に対して中空管内部の静圧を安定化させることができ、基準圧の不規則かつ急激な変化を防ぐことができるとともに、流量調節装置に安定した基準圧を伝達することができる。室内気圧調節システムは、空気第１出入口を有する検出端部の近傍において気圧が変動したとしても、コイル状に巻かれた中空管によって安定した基準圧が伝達されるから、不規則かつ急激に変化する基準圧を使用することによる流量調節装置の調節動作の誤作動や過作動を防止することができるとともに、基準圧に対する空調室の室内気圧を陽圧または負圧に保持することができ、外部から空調室への空気の流入や空調室から外部への空気の流出を防ぐことができる。室内気圧調節システムは、中空管の中間部をコイル状に巻くことによって長尺の中空管をコンパクトにすることができるから、場所を取らずに中空管を所定の箇所に設置することができる。室内気圧調節システムは、中空管の検出端部とコイル状に巻かれた中間部とが空気流通窓を有する通気性の筐体内部に収容され、中空管の接続端部が筐体から露出しており、検出端部と中間部とが筐体に収容されていない場合と比較し、空気第１出入口を備えた検出端部が受ける風の影響を筐体によって緩和することができ、空気第１出入口から出入する空気量の大きな変動を防ぐことができるから、中空管内部の静圧の不規則かつ急激な変化を防ぐことができる。
【００２７】
空調室の室内気圧がリアルタイムで連続的に検知され、基準圧が中空管からリアルタイムで連続的に伝達され、差圧計測手段が室内気圧と基準圧との差圧をリアルタイムで連続的に計測する室内気圧調節システムは、室内気圧と基準圧との差圧をリアルタイムで連続的に計測し、計測した室内気圧と基準圧との差圧に基づいて、流量調節装置が基準圧に対する室内気圧を陽圧または負圧に保持するために空気の給排気量の少なくとも一方を調節するから、空調室の室内気圧を綿密に調節することができ、空調室の室内気圧を基準圧よりも高い陽圧または基準圧よりも低い負圧に確実に保持することができる。
【００２８】
２つ以上の空調室への空気の給気量とそれら空調室からの空気の排気量とのいずれかを調節可能な２つ以上の流量調節装置と、中空管によって伝達される基準圧を２つ以上の流量調節装置に分配する分配器とを含み、中空管の接続端部が分配器に接続されているとともに分配器から２つ以上に分岐してそれら流量調節装置に接続されている室内気圧調節システムは、風の影響によって空気第１出入口を有する検出端部の近傍において気圧が変動したとしても、中空管からそれら流量調節装置に安定した基準圧が伝達され、２つ以上の空調室の室内気圧と中空管から伝達された基準圧との差圧に基づいて、それら流量調節装置が基準圧に対する室内気圧を陽圧または負圧に保持するために空気の給排気量の少なくとも一方を調節するから、２つ以上の空調室の室内気圧を基準圧よりも高い陽圧または基準圧よりも低い負圧に保持することができ、外部からそれら空調室への空気の流入やそれら空調室から外部への空気の流出を防ぐことができる。
【００２９】
中空管の検出端部が中間部から少なくとも２つに分岐している室内気圧調節システムは、一方の検出端部が何らかの原因によって閉塞したとしても、他方の検出端部によって基準圧を計測することができ、検出端部が閉塞することによる基準圧の計測不能を防ぐことができる。室内気圧調節システムは、風の影響によって空気第１出入口を備えた検出端部の近傍の気圧が変動したとしても、中空管によって安定した基準圧が伝達されるから、流量調節装置の調節動作の誤作動や過作動を防止することができ、基準圧に対する空調室の室内気圧を陽圧または負圧に保持することができる。
【００３０】
中空管が接続端部から分岐する少なくとも２つの中間部とそれら中間部につながる少なくとも２つの検出端部とを有する室内気圧調節システムは、少なくとも２つ以上の中間部および少なくとも２つ以上の検出端部において複数箇所の基準圧を計測し、計測した複数の基準圧の平均を採ることができるから、基準圧を平均化することができ、１つ箇所において基準圧を計測することによる基準圧の偏りを防ぐことができる。室内気圧調節システムは、風の影響によって空気第１出入口を備えた検出端部の近傍の気圧が変動したとしても、中空管によって安定かつ平均化した基準圧が伝達されるから、流量調節装置の調節動作の誤作動や過作動を防止することができ、基準圧に対する空調室の室内気圧を陽圧または負圧に保持することができる。
【００３１】
中空管が接続端部から分岐する少なくとも２つの中間部とそれら中間部につながる少なくとも２つの検出端部とを有し、少なくとも２つの検出端部の一方が第１の方角における屋外に設置され、検出端部の他方が第１の方角とは反対の第２の方角に設置されている室内気圧調節システムは、たとえば、２つの検出端部の一方を北側に設置し、他方を南側に設置することにより、北風が強い場合において北風の影響を直接受ける検出端部と北風の影響を間接的に受ける検出端部とから基準圧を伝達することができ、一方の箇所のみにおいて基準圧を検出することによる基準圧の偏りを防ぐことができる。室内気圧調節システムは、全く逆の方角において計測した基準圧の平均を伝達することができるから、基準圧を平均化することができ、１つ箇所において基準圧を計測することによる基準圧の偏りを防ぐことができる。室内気圧調節システムは、風の影響によって空気第１出入口を備えた検出端部の近傍の気圧が変動したとしても、中空管によって安定かつ平均化した基準圧が伝達されるから、流量調節装置の調節動作の誤作動や過作動を防止することができ、基準圧に対する空調室の室内気圧を陽圧または負圧に保持することができる。
【００３２】
中空管の検出端部が閉塞先端と閉塞先端から続く周側面とを有し、空気第１出入口が周側面に形成されている室内気圧調節システムは、空気第１出入口における風の影響を緩和することができ、空気第１出入口から出入する空気量の大きな変動を防ぐことができるから、空気第１出入口に接する空気の気圧が大きく変化することはなく、中空管内部の静圧の不規則かつ急激な変化を防ぐことができる。室内気圧調節システムは、風の影響によって空気第１出入口を備えた検出端部の近傍の気圧が変動したとしても、中空管によって安定した基準圧が伝達されるから、流量調節装置の調節動作の誤作動や過作動を防止することができ、基準圧に対する空調室の室内気圧を陽圧または負圧に保持することができる。
【００３３】
空気第１出入口が周側面に複数個形成され、空気第１出入口の開口面積が１０〜２０ｍｍ２の範囲にある室内気圧調節システムは、空気第１出入口を周側面に複数個形成しつつ、空気第１出入口の開口面積を前記範囲にすることで、空気第１出入口における風の影響を緩和することができ、空気第１出入口から出入する空気量の大きな変動を防ぐことができるから、空気第１出入口に接する空気の気圧が大きく変化することはなく、中空管内部の静圧の不規則かつ急激な変化を防ぐことができる。室内気圧調節システムは、風の影響によって空気第１出入口を備えた検出端部の近傍の気圧が変動したとしても、中空管によって安定した基準圧が伝達されるから、流量調節装置の調節動作の誤作動や過作動を防止することができ、基準圧に対する空調室の室内気圧を陽圧または負圧に保持することができる。
【００３４】
中空管の検出端部から接続端部までの長さが５０〜５００ｍの範囲にあり、中空管の検出端部と接続端部と中間部と内径が４〜２０ｍｍの範囲にある室内気圧調節システムは、中空管の長さおよび内径を前記範囲にすることにより、風の影響によって空気第１出入口を備えた検出端部の近傍の気圧が変動したとしても、中空管の内部の空気抵抗によって気圧の変動に対する中空管内部の静圧の振幅の変動が検出端部から接続端部に向かって次第に小さくなるとともに、気圧の変動に対する中空管内部の静圧の周期が検出端部から接続端部に向かって次第に長くなるから、気圧の変動に対して中空管内部の静圧を確実に安定化させることができ、伝達される基準圧の不規則かつ急激な変化を確実に防ぐことができる。室内気圧調節システムは、風の影響によって空気第１出入口を備えた検出端部の近傍の気圧が変動したとしても、中空管によって安定した基準圧が伝達されるから、流量調節装置の調節動作の誤作動や過作動を防止することができ、基準圧に対する空調室の室内気圧を陽圧または負圧に保持することができる。
【００３５】
中空管が検出端部と接続端部との圧力差±１０〜±１５０Ｐａの範囲における検出端部近傍の気圧変動に対して中空管内部の静圧を安定させる室内気圧調節システムは、検出端部近傍の前記範囲における気圧変動によって中空管内部の静圧が不規則かつ急激に変化する場合があるが、中空管の圧力抵抗によって前記範囲の気圧変動に対して中空管内部の静圧の振幅の変動が検出端部から接続端部に向かって次第に小さくなるとともに、中空管内部の静圧の周期が検出端部から接続端部に向かって次第に長くなるから、前記範囲の気圧の変動に対して中空管内部の静圧を確実に安定化させることができ、伝達される基準圧の不規則かつ急激な変化を確実に防ぐことができる。室内気圧調節システムは、風の影響によって空気第１出入口を備えた検出端部の近傍の気圧が変動したとしても、中空管によって安定した基準圧が伝達されるから、流量調節装置の調節動作の誤作動や過作動を防止することができ、基準圧に対する空調室の室内気圧を陽圧または負圧に保持することができる。
【００３６】
流量調節装置が差圧を計測する微差圧計とダンパ開度によって空調室への空気の給気量と空調室からの空気の排気量とのいずれかを調節可能なモーターダンパとから形成されている室内気圧調節システムは、微差圧計が空調室の室内気圧と中空管から伝達された基準圧との差圧を計測し、計測した室内気圧と基準圧との差圧に基づいて、モーターダンパが基準圧に対する室内気圧を陽圧または負圧に保持するために空気の給排気量の少なくとも一方を調節するから、空調室の室内気圧を基準圧よりも高い陽圧または該基準圧よりも低い負圧に保持することができる。室内気圧調節システムは、空気第１出入口を有する検出端部の近傍において気圧が変動したとしても、中空管によって安定した基準圧が伝達されるから、不規則かつ急激に変化する基準圧を使用することによるモーターダンパのダンパ開度の誤作動や過作動を防止することができるとともに、基準圧に対する空調室の室内気圧を陽圧または負圧に保持することができ、外部から空調室への空気の流入や空調室から外部への空気の流出を防ぐことができる。
【００３７】
本発明にかかる室内気圧調節方法によれば、空調室の室内気圧と中空管から伝達された基準圧との差圧を計測し、計測した室内気圧と基準圧との差圧に基づいて、基準圧に対する室内気圧を陽圧または負圧に保持するために空気の給排気量の少なくとも一方を調節するから、空調室の室内気圧を基準圧よりも高い陽圧または基準圧よりも低い負圧に保持することができる。室内気圧調節方法は、所定の箇所における空気の基準圧の計測に一方向へ長い長尺の可撓性を有する中空管が使用され、風の影響によって空気第１出入口を有する検出端部の近傍の気圧が変動したとしても、コイル状に巻かれた中空管の内部の圧力抵抗によって気圧の変動に対する中空管内部における静圧の振幅の変動が検出端部から接続端部に向かって次第に小さくなるとともに、気圧の変動に対する中空管内部における静圧の周期が検出端部から接続端部に向かって次第に長くなるから、気圧の変動に対して中空管内部の静圧を安定化させることができ、基準圧の不規則かつ急激な変化を防ぐことができるとともに、流量調節装置に安定した基準圧を伝達することができる。室内気圧調節方法は、空気第１出入口を有する検出端部の近傍において気圧が変動したとしても、コイル状に巻かれた中空管によって安定した基準圧が伝達されるから、不規則かつ急激に変化する基準圧を使用することによる流量調節装置の調節動作の誤作動や過作動を防止することができるとともに、基準圧に対する空調室の室内気圧を陽圧または負圧に保持することができ、外部から空調室への空気の流入や空調室から外部への空気の流出を防ぐことができる。室内気圧調節方法は、中空管の中間部をコイル状に巻くことによって長尺の中空管をコンパクトにすることができるから、場所を取らずに中空管を所定の箇所に設置することができる。室内気圧調節方法は、中空管の検出端部とコイル状に巻かれた中間部とが空気流通窓を有する通気性の筐体内部に収容され、中空管の接続端部が筐体から露出しており、検出端部と中間部とが筐体に収容されていない場合と比較し、空気第１出入口を備えた検出端部が受ける風の影響を筐体によって緩和することができ、空気第１出入口から出入する空気量の大きな変動を防ぐことができるから、中空管内部の静圧の不規則かつ急激な変化を防ぐことができる。
【００３８】
空調室の室内気圧がリアルタイムで連続的に検知され、基準圧が中空管からリアルタイムで連続的に伝達されるとともに、室内気圧と基準圧との差圧をリアルタイムで連続的に計測する室内気圧調節方法は、室内気圧と基準圧との差圧をリアルタイムで連続的に計測し、計測した室内気圧と基準圧との差圧に基づいて、流量調節装置が基準圧に対する室内気圧を陽圧または負圧に保持するために空気の給排気量の少なくとも一方を調節するから、空調室の室内気圧を綿密に調節することができ、空調室の室内気圧を基準圧よりも高い陽圧または基準圧よりも低い負圧に確実に保持することができる。
【００３９】
２つ以上の空調室への空気の給気量とそれら空調室からの空気の排気量とのいずれかを調節可能な２つ以上の流量調節装置と、中空管によって伝達される基準圧を２つ以上の流量調節装置に分配する分配器とを含み、中空管の接続端部が分配器に接続されているとともに分配器から２つ以上に分岐してそれら流量調節装置に接続されている室内気圧調節方法は、風の影響によって空気第１出入口を有する検出端部の近傍において気圧が変動したとしても、中空管からそれら流量調節装置に安定した基準圧が伝達され、２つ以上の空調室の室内気圧と中空管から伝達された基準圧との差圧に基づいて、それら流量調節装置が基準圧に対する室内気圧を陽圧または負圧に保持するために空気の給排気量の少なくとも一方を調節するから、２つ以上の空調室の室内気圧を基準圧よりも高い陽圧または基準圧よりも低い負圧に保持することができ、外部からそれら空調室への空気の流入やそれら空調室から外部への空気の流出を防ぐことができる。
【図面の簡単な説明】
【００４０】
【図１】一例として示す室内気圧調節システムの構成図。
【図２】一例として示す検出端部の斜視図。
【図３】他の一例として示す検出端部の部分破断斜視図。
【図４】基準圧計測器具（中空管１００ｍの場合）を利用して計測した圧力の時間的な変化を表す図。
【図５】基準圧計測器具（中空管２００ｍの場合）を利用して計測した圧力の時間的な変化を表す図。
【図６】室内気圧コントロールの一例を説明するためのフローチャート。
【図７】他の一例として示す室内気圧調節システムの構成図。
【図８】他の一例として示す室内気圧調節システムの構成図。
【図９】他の一例として示す室内気圧調節システムの構成図。
【図１０】他の一例として示す室内気圧調節システムの構成図。
【図１１】他の一例として示す室内気圧調節システムの構成図。
【発明を実施するための形態】
【００４１】
一例として示す室内気圧調節システム１０Ａの構成図である図１等の添付の図面を参照し、本発明にかかる室内気圧調節システムおよび室内気圧調節方法の詳細を説明すると、以下のとおりである。なお、図２は、一例として示す中空管３４の検出端部３５の斜視図であり、図３は、他の一例として示す中空管３４の検出端部３５の斜視図である。図１は、クリーンルーム１２（気密空調室）をその側方から示している。図２，３では、長さ方向（一方向）を矢印Ａ、周り方向を矢印Ｂで示し、径方向を矢印Ｃで示す。
【００４２】
この実施形態では、建造物１１近傍の屋外（所定の箇所）における空気の基準圧が基準圧計測器具１８（中空管）によって伝達され、伝達された基準圧をモーターダンパ１７（流量調節装置）の制御動作（たとえば、フィードバック制御やフィードフォワード制御）の基準値として使用し、建造物１１の一角に施設されたクリーンルーム１２の室内気圧を調節する。なお、この実施形態では室内気圧を基準圧よりも高い陽圧に保持する場合について説明するが、このシステムおよびこの方法は室内気圧を基準圧よりも低い負圧に保持する場合にも利用される。流量調節装置には、モーターダンパ１７の他に、ＶＡＶユニットを使用することもできる。所定の箇所には、屋外のみならず建造物１１の屋内も含まれる。
【００４３】
室内気圧調節システム１０Ａ（室内気圧調節方法）は、建造物１１の屋外の空気をクリーンルーム１２に供給する給気ダクト１３と、クリーンルーム１２から建造物１１の屋外に空気を排出する排気ダクト１４と、クリーンルーム１２に空気を給気する給気ファン１５（給気装置）と、クリーンルーム１２から空気を排気する排気ファン１６（排気装置）と、モーターダンパ１７および基準圧伝達装置１８とを備えている。
【００４４】
クリーンルーム１２は、天井１９および床２０と前後壁２１，２２および側壁２３とに囲繞された所定容積の気密な空調空間を有し、天井１９、床２０、それら壁２１〜２３によって室外と仕切られている。クリーンルーム１２には、室内の空気を部分的に排気する局所排気装置２４が設置され、空気を室内に部分的に給気する局所給気装置２５が設置されている。天井１９には、給気ダクト１３から供給される空気をクリーンルーム１２に取り入れるための給気口（図示せず）が施設されている。側壁２３には、クリーンルーム１２の空気を排気ダクト１４に取り入れるための排気口２６が施設されている。前壁２１には、クリーンルーム１２に出入りするための扉２７が設置されている。このシステム１０Ａでは、その稼働中にクリーンルーム１２の室内気圧が厳密に管理され、室内気圧が基準圧よりも高い適正範囲の陽圧に保持されている。
【００４５】
給気ダクト１３は、クリーンルーム１２の天井１９に施設された給気口につながり、建造物１１の屋外とクリーンルーム１２とを連結している。排気ダクト１４は、クリーンルーム１２の側壁２３に施設された排気口２６につながり、建造物１１の屋外とクリーンルーム１２とを連結している。給気ファン１５は、給気ダクト１３に設置され、所定量の空気をクリーンルーム１２に強制的に給気する。給気ファン１５は、その稼働中における風量（風速）が設定されている。排気ファン１６は、排気ダクト１４に設置され、所定量の空気をクリーンルーム１２から強制的に排気する。排気ファン１６は、その稼働中における風量（風速）が設定されている。
【００４６】
局所排気装置２４は、塵や微粉、ガス等の不要物をクリーンルーム１２の室内空気とともに吸引し、不要物を室外に排出する。局所排気装置２４は、クリーンルーム１２の一部から室外に空気を排出する局所排気ダクト２８と、クリーンルーム１２から所定量の空気を強制的に排気する局所排気ファン２９とから形成されている。局所給気装置２５は、クリーンルーム１２に施設された器具や機械の熱を冷却し、器具や機械の熱による損傷を防止する。局所給気装置２５は、クリーンルーム１２の一部に空気を供給する局所給気ダクト３０と、クリーンルーム１２に所定量の空気を強制的に給気する局所給気ファン３１とから形成されている。
【００４７】
クリーンルーム１２では、稼働中の給排気ファン１５，１６のうちの少なくとも一方の風量変化、クリーンルーム１２に設置された扉２７の開閉、クリーンルーム１２に設置された停止中の局所排気装置２４または局所給気装置２５の稼動、稼動中の局所排気装置２４または局所給気装置２５の停止のうちの少なくとも１つの変動原因によってその室内気圧が大きく変動する。
【００４８】
モーターダンパ１７は、クリーンルーム１２と排気ファン１６との間に延びる排気ダクト１４に設置されている。モーターダンパ１７は、モジュトロールモーター（図示せず）と、モーターの駆動力によって旋回する旋回羽根３２と、旋回羽根３２の旋回によって開閉される空気流路（図示せず）とから形成されている。モーターダンパ１７では、旋回羽根３２の旋回角度（ダンパ開度）によってクリーンルーム１２から排気される空気の流量を調節する。モーターダンパ１７には、平行翼ダンパまたは対向翼ダンパを使用することができる。なお、モーターダンパ１７がクリーンルーム１２と給気ファン１５との間に延びる給気ダクト１３に設置されていてもよい。この場合は、旋回羽根３２の旋回角度（ダンパ開度）によってクリーンルーム１２に給気される空気の流量を調節する。
【００４９】
モーターダンパ１７には、コントローラ３３（制御装置）が附属している。コントローラ３３は、演算処理を行う中央処理装置と各種データを記憶可能な主記憶装置（メモリ）とを有するマイクロプロセッサであり、微差圧センサ（微差圧計）を内蔵している。コントローラ３３には、基準圧計測器具１８が接続されている。コントローラ３３には、図示はしていないが、各種データを入力するための入力装置、入力確認のための表示装置がインターフェイスを介して接続されている。
【００５０】
コントローラ３３の主記憶装置には、クリーンルーム１２の室内気圧を陽圧に保持するための適正な差圧（基準圧と室内気圧との差圧）の値（適正な範囲の差圧の値または適正な１つの差圧の値）が格納されている。適正な範囲の差圧の値または適正な１つの差圧の値は、入力装置によって任意に設定することができる。コントローラ３３の主記憶装置には、クリーンルーム１２の室内気圧とモーターダンパ１７の空気流路を通過する空気量との相関関係が格納され、室内気圧に対応する空気量とその空気量に対応するモーターダンパ１７の旋回羽根３２の旋回角度（ダンパ開度）との相関関係が格納されている。
【００５１】
コントローラ３３は、モーターダンパ１７の旋回羽根３２の旋回角度（ダンパ開度）を所定の角度（所定の開度）に設定または所定の角度を変更する開度制御信号をダンパ１７に出力することで、空気流路の開度を所定の開度に調節する。モーターダンパ１７では、コントローラ３３から出力された開度制御信号によってモジュトロールモータが回転し、それによって旋回羽根３２が所定角度に旋回する。旋回羽根３２が所定角度に旋回すると、ダンパ１７の空気流路の開度が変わり、空気流路を通過する空気の流量が変更されてクリーンルーム１２の室内気圧が変わる。
【００５２】
基準圧計測器具１８は、建造物１１の屋外における気圧（基準圧）をコントローラ３３に伝達する。基準圧計測器具１８は、長さ方向へ長い長尺の中空管３４から形成されている。中空管３４は、径方向へ切断した切断面の形状（断面形状）が円形のホースであり、ゴム、ビニール、プラスチック、布等から作られ、曲げ延ばしが自在な可撓性を有する。なお、中空管３４の断面形状には、円形の他に、四角形や多角形等のあらゆる形状が含まれる。中空管３４は、検出端部３５（前端部）と、検出端部３５の反対側に位置する接続端部３７（後端部）と、検出端部３５と接続端部３７との間に位置する中間部３６とを有する。
【００５３】
検出端部３５は、空気の基準圧の計測箇所となる建造物１１近傍の屋外（建造物１１の屋内も含む）に所定の設置手段を介してずれ動きがないように設置されている。中間部３６は、コイル状に巻かれている。中間部３６および接続端部３７は、建造物１１の屋内に設置されている。ただし、中間部３６が建造物１１の屋外に設置される場合もある。接続端部３７は、コントローラ３３に接続されている。中空管３４は、検出端部３５と中間部３６と接続端部３７とにおいてそれら部１２〜１４の内部における気圧の伝達が遮断されないように設置されている。
【００５４】
コントローラ３３には、中空管３４の他に、クリーンルーム１２の室内気圧を伝達する中空管３８が設置されている。中空管３８は、その一端部３９がクリーンルーム１２の室内に設置手段を介してずれ動きがないように設置され、その他端部４０がコントローラ３３に接続されている。中空管３８の一端部３９や他端部４０には、開口が形成されている。なお、クリーンルーム１２の室内気圧を計測する他の方法として、中空管３８を使用せずに、クリーンルーム１２の室内に室圧センサを設置し、クリーンルーム１２の室内気圧を室圧センサからコントローラ３３に転送することもできる。
【００５５】
図２に示す検出端部３５は、周り方向へ延びる周側面４１を有し、空気第１出入口４２を備えている。図２の検出端部３５の空気第１出入口４２は、検出端部３５の先端に形成された断面円形の開口である。図３に示す検出端部３５は、閉塞先端４３と、閉塞先端４３から続く周側面４４とを有し、偶数個（複数個）の空気第１出入口４５Ａ，４５Ｂを備えている。図３の検出端部３５の空気第１出入口４５Ａ，４５Ｂは、周側面４４に形成された周り方向へ長い矩形の開口である。図３では、周側面４４において２つの空気第１出入口４５Ａ，４５Ｂが周り方向へ互いに１８０°離間した位置に形成されている。
【００５６】
なお、図３の検出端部３５における空気第１出入口４５Ａ，４５Ｂの数に特に限定はなく、４つ以上の出入口が周側面４４に形成されていてもよい。接続端部３７は、空気第２出入口（図示せず）を備えている。空気第２出入口は、図２の検出端部３５の空気第１出入口４２と同様に、接続端部３７の先端に形成された断面円形の開口である。
【００５７】
本発明では、図３に示す空気第１出入口４５Ａ，４５Ｂを採用することが好ましい。図２に示すように、空気第１出入口４２が検出端部３５の先端に形成された円形の開口である場合、空気第１出入口４２が屋外に吹く風の影響を直接受け、不規則かつ急激に変動する気圧によって大きく変化する量の空気が空気第１出入口４２に出入可能であり、空気第１出入口４２に接する空気の気圧が大きく変化するが、図３に示すように、空気第１出入口４５Ａ，４５Ｂが検出端部３５の周側面４４に形成された矩形の開口である場合、第１出入口４５Ａ，４５Ｂが風の影響を直接受けることはなく、第１出入口４５Ａ，４５Ｂにおける風の影響を緩和することができ、屋外の気圧が不規則かつ急激に変動したとしても、第１出入口４５Ａ，４５Ｂに出入する空気の量が大きく変動することはなく、第１出入口４５Ａ，４５Ｂに接する空気の気圧が大きく変化することはないからである。
【００５８】
室内気圧調節システム１０Ａおよびシステム１０Ａによって実施される室内気圧調節方法では、伝達された中空管３４内部（接続端部３７内）の静圧（基準圧）をモーターダンパ１７の制御動作の基準値として使用する。中空管３４は、その検出端部３５の空気第１出入口４２，４５Ａ，４５Ｂにおいて外気の気圧が作用し、それにともなって接続端部３７の空気第２出入口に気圧が伝達されることで、中空管３４内部における静圧が所定圧を中心としてプラス側またはマイナス側に変化し、計測される基準圧が所定圧を中心としてプラス側またはマイナス側に変化する。
【００５９】
なお、中空管３４の検出端部３５を屋外に設置した場合、屋外に吹く風の影響によって検出端部３５近傍の気圧が常時変動する。たとえば、検出端部３５近傍の気圧が接続端部３７との間において±１０〜１５０Ｐａの範囲において変動すると、空気第１出入口４２，４５Ａ，４５Ｂに接する空気の気圧が大きく変化し、中空管３４内部の静圧の振幅の変動が大きくなるとともに、中空管３４内部の静圧の周期が短くなり、中空管３４内部の静圧が不安定となって計測される基準圧が不規則かつ急激に変化する。基準圧が不規則かつ急激に変化すると、モーターダンパ１７の制御動作の誤作動や過作動が起こる場合がある。
【００６０】
室内気圧調節システム１０Ａおよびこのシステム１０Ａによって実施される室内気圧調節方法では、中空管３４の圧力抵抗（中空管３４の内周面４６と中空管３４内部の空気との摩擦抵抗）により、中空管３４内部の静圧の振幅変動が検出端部３５から接続端部３７に向かって次第に小さくなるとともに、中空管３４内部の静圧の周期が検出端部３５から接続端部３７に向かって次第に長くなり、屋外に吹く風の影響による気圧変動に対して中空管３４内部の静圧が安定化する。したがって、中空管３４では、気圧変動に対して検出端部３５や端部３５近傍の中間部３６における静圧が不安定となったとしても、接続端部３７や端部３７近傍の中間部３６における静圧が安定し、安定した基準圧が中空管３４からコントローラ３３に伝達される。また、図３に示す空気第１出入口４５Ａ，４５Ｂを採用することにより、接続端部３７において計測される基準圧を一層安定化させることができる。
【００６１】
図３の検出端部３５の空気第１出入口４５Ａ，４５Ｂは、その開口面積が１０〜２０ｍｍ２の範囲にある。空気第１出入口４５Ａ，４５Ｂの開口面積が１０ｍｍ２未満では、出入口４５Ａ，４５Ｂにおける空気の出入が困難となり、基準圧を計測することができない場合がある。空気第１出入口４５Ａ，４５Ｂの開口面積が２０ｍｍ２を超過すると、出入口４５Ａ，４５Ｂが風の影響を受け易く、不規則かつ急激に変動する気圧によって大きく変化する量の空気が出入口４５Ａ，４５Ｂに出入可能となり、空気の気圧の変化が出入口４５Ａ，４５Ｂに大きく作用し、出入口４５Ａ，４５Ｂにおいて風の影響を緩和することが難しい。
【００６２】
中空管３４は、その検出端部３５（端部３５の先端）から接続端部３７（端部３７の後端）までの長さが５０〜５００ｍの範囲にある。長さが５０ｍ未満では、中空管３４の圧力抵抗が十分に作用せず、検出端部３５近傍の気圧の変動にともなう中空管３４内部の静圧の振幅変動を検出端部３５から接続端部３７に向かって小さくすることができず、中空管３４内部の静圧の周期を検出端部３５から接続端部３７に向かって長くすることができない。その結果、気圧変動に対して中空管３４内部の静圧を安定化させることができない。長さが５００ｍを超過すると、長さがそれ以上長くなったとしても、中空管３４内部の静圧の振幅変動を検出端部３５から接続端部３７に向かって小さくする効果が向上せず、中空管３４内部の静圧の周期を検出端部３５から接続端部３７に向かって長くする効果が向上しないばかりか、中空管３５が嵩張り、設置箇所において中空管３５が場所を取り、邪魔になる場合がある。
【００６３】
中空管３４は、検出端部３５と中間部３６と接続端部３７との内径Ｌ（径方向の直径）が４〜２０ｍｍの範囲にある。それら部３５〜３７の内径Ｌが４ｍｍ未満では、中空管３４内部の圧力抵抗が大きくなり過ぎ、検出端部３５近傍の気圧の変動にともなう中空管３４内部の静圧の振幅変動が小さくなり過ぎるとともに、中空管３４内部の静圧の周期が長くなり過ぎ、検出端部３５近傍の気圧の変動にともなう適正な基準圧を計測することができない。それら部３５〜３７の内径Ｌが２０ｍｍを超過すると、中空管３４内部の圧力抵抗が小さくなり、検出端部３５近傍の気圧の変動にともなう中空管３４内部の静圧の振幅変動を検出端部３５から接続端部３７に向かって小さくすることができず、中空管３４内部の静圧の周期を検出端部３５から接続端部３７に向かって長くすることができない。その結果、気圧変動に対して中空管３４内部の静圧を安定化させることができない。
【００６４】
図４，５は、基準圧計測器具１８（中空管３４）を利用して計測した圧力（Ｐａ）の時間的な変化を表す図である。それら図では、縦軸に圧力（Ｐａ）が表され、横軸に経過時間（秒）が表されている。なお、それら図では、中空管３４を利用した圧力の時間的な変化を実線で示し、中空管３４を利用しない圧力の時間的な変化を点線で示す。また、図４は、中空管３４の検出端部３５から接続端部３７までの長さが１００ｍの場合の圧力（静圧）の時間的な変化を表し、図５は、中空管３４の検出端部３５から接続端部３７までの長さが２００ｍの場合の圧力（静圧）の時間的な変化を表している。
【００６５】
図４，５に示す圧力変化（静圧変化）は、検出端部３５を建造物１１近傍の屋外に設置し、中間部３６および接続端部３７を屋内に設置するとともに、接続端部３７に微差圧計を設置して測定した。図４，５から分かるように、中空管３４を利用した場合では、中空管３４を利用しない場合と比較し、中空管３４内部の静圧の振幅変動が小さく、静圧の周期が長くなっている。したがって、中空管３４を利用することによって、気圧の変動に対して中空管３４内部の静圧を確実に安定化させることができ、計測した基準圧の不規則かつ急激な変化を確実に防ぐことができる。
【００６６】
図６は、室内気圧コントロールの一例を説明するためのフローチャートである。このシステム１０Ａにおいて、クリーンルーム１２の室内気圧を変動させる変動原因の非発生時における室内気圧のコントロールを説明すると、以下のとおりである。なお、入力装置を介してコントローラ３３に適切な範囲の差圧（基準圧と室内気圧との差圧）が入力されたものとする。クリーンルーム１２における変動原因の非発生時とは、扉２７が閉鎖され、給気ファン１５や排気ファン１６が初期設定の風量で正常に稼動し、局所排気装置２４や局所給気装置２５が停止または局所排気装置２４や局所給気装置２５が正常に稼動している状態である。
【００６７】
システム１０Ａが起動すると、モーターダンパ１７や給気ファン１５、排気ファン１６が稼働する。給気ファン１５から給気された空気は、給気ダクト１３を通ってクリーンルーム１２に流入した後、排気ダクト１４を通って排気ファン１６に流入し、排気ファン１６から排気ダクト１４を通って屋外に排気される。また、クリーンルーム１２では、局所排気装置２４が稼動すると、室内の空気が局所排気ダクト２８を通って局所排気ファン２９に流入し、局所排気ファン２９から局所排気ダクト２８を通って室外に排気される。クリーンルーム１２では、局所給気装置２５が稼動すると、室外の空気が局所給気ダクト３０を通って局所給気ファン３１に流入し、局所給気ファン３１から局所給気ダクト３０を通って室内に給気される。
【００６８】
このシステム１０Ａ（方法）では、屋外の基準圧（外気圧）が中空管３４からコントローラ３３の微差圧センサに伝達されるとともに、クリーンルーム１２の室内気圧が中空管３８からコントローラ３３の微差圧センサに伝達される。屋外の基準圧は、中空管３４から微差圧センサ（微差圧計）にリアルタイムかつ連続的に伝達され、クリーンルーム１２の室内気圧は、中空管３８から微差圧センサにリアルタイムかつ連続的に伝達される。微差圧センサは、室内気圧と基準圧との差圧をリアルタイムかつ連続的に計測し（たとえば、基準圧から室内気圧を減算、または、室内気圧から基準圧を減算）、計測した差圧をコントローラ３３に転送する（差圧計測手段）（Ｓ−１）。コントローラ３３は、微差圧センサから転送された差圧が適正な範囲内（たとえば、適正な差圧の範囲が＋５〜＋１０Ｐａ）にあるかを判断する（差圧判断手段）（Ｓ−２）。または、差圧が適正な値（たとえば、適正な値が＋７Ｐａ）にあるかを判断する（差圧判断手段）（Ｓ−２）。
【００６９】
コントローラ３３は、差圧判断手段によって判断した結果、差圧が適正な差圧の範囲内にある場合（たとえば、基準圧から室内気圧を減算した差圧が＋７Ｐａであって、差圧の適正な範囲が＋５〜＋１０Ｐａである場合、計測した差圧が適正な差圧の範囲内にある。）、または、差圧が適正な差圧の値である場合（たとえば、準圧から室内気圧を減算した差圧が＋７Ｐａであって、差圧の適正な値が＋７Ｐａである場合、計測した差圧が適正な差圧の値である。）、モーターダンパ１７の旋回羽根３２の旋回角度（ダンパ開度）を現状のまま維持する。コントローラ３３は、システム１０Ａ（方法）を停止するかを判断する（Ｓ−３）。システム１０Ａを続行する場合、コントローラ３３は、ステップ１（Ｓ−１）に戻り、クリーンルーム１２の室内気圧をリアルタイムかつ連続的に計測し、基準圧をリアルタイムかつ連続的に計測し、ステップ１からの手順を繰り返す。
【００７０】
ステップ２（Ｓ−２）においてコントローラ３３は、差圧判断手段によって判断した結果、差圧が適正な差圧の範囲内にない場合、または、差圧が適正な差圧の値でない場合、基準圧に対してクリーンルーム１２の室内気圧が適正な陽圧の範囲内になるように（差圧が適正な差圧の範囲内になるように、または、差圧が適正な差圧の値になるように）、モーターダンパ１７の旋回羽根３２の旋回角度（ダンパ開度）を微調節するフィードバック制御（制御動作）を実行する。
【００７１】
具体的には、基準圧に対して室内気圧が適正な陽圧未満である場合（たとえば、基準圧から室内気圧を減算した差圧が＋３Ｐａであって、差圧の適正な範囲が＋５〜＋１０Ｐａである場合、計測した差圧が適正な差圧の範囲内にない。）、コントローラ３３は、計測した差圧が適正な差圧の範囲内となる室内気圧を決定し、決定した室内気圧に対応する空気流路を通過する空気量を主記憶装置から抽出するとともに、抽出した空気量に対応するモーターダンパ１７の旋回羽根３２の旋回角度（ダンパ開度）を主記憶装置から抽出する。次に、コントローラ３３は、モーターダンパ１７の旋回羽根３２の旋回角度を、抽出した角度（所定の開度）にする開度制御信号をダンパ１７に出力し（Ｓ−４）、ダンパ１７の空気流路の開度を所定の開度に調節しつつ、差圧を適正な差圧の範囲内にする（流量調節手段）。また、基準圧に対して室内気圧が適正な陽圧値でない場合（たとえば、基準圧から室内気圧を減算した差圧が＋３Ｐａであって、差圧の適正な値が＋７Ｐａである場合、計測した差圧が適正な差圧の値でない。）、コントローラ３３は、ダンパ１７の空気流路の開度を所定の開度に調節しつつ、差圧を適正な差圧の値にする（流量調節手段）。
【００７２】
室内気圧が負圧である場合（たとえば、基準圧から室内気圧を減算した差圧が−２Ｐａであって、差圧の適正な範囲が＋５〜＋１０Ｐａである場合、計測した差圧が適正な差圧の範囲内にない。または、差圧の適正な値が＋７Ｐａである場合、計測した差圧が適正な差圧の値でない。）、コントローラ３３は、ダンパ１７の空気流路の開度を所定の開度に調節しつつ、差圧を適正な差圧の値にする（流量調節手段）。基準圧に対して室内気圧が適正な陽圧を超過している場合（たとえば、基準圧から室内気圧を減算した差圧が＋１２Ｐａであって、差圧の適正な範囲が＋５〜＋１０Ｐａである場合、計測した差圧が適正な差圧の範囲内にない。または、基準圧から室内気圧を減算した差圧が＋１２Ｐａであって、差圧の適正な値が＋７Ｐａである場合、計測した差圧が適正な差圧の値でない。）、コントローラ３３は、ダンパ１７の空気流路の開度を所定の開度に調節しつつ、差圧を適正な差圧の値にする（流量調節手段）。
【００７３】
モーターダンパ１７では、コントローラ３３から出力された開度制御信号によってモジュトロールモータが回転し、それによって旋回羽根３２が所定角度に旋回する（室内気圧が適正な陽圧未満または負圧である場合は、旋回羽根３２の旋回角度（ダンパ開度）が小さくなり、室内気圧が適正な陽圧を超過している場合は、旋回羽根３２の旋回角度（ダンパ開度）が大きくなる）。旋回羽根３２が所定角度に旋回すると、モーターダンパ１７の空気流路の開度が変わり、空気流路を通過する空気の流量が変更され（Ｓ−６）、それによってクリーンルーム１２の室内気圧が基準圧よりも高い適正な陽圧に保持される。
【００７４】
なお、中空管３４から常時伝達される基準圧に対してコントローラ３３は、クリーンルーム１２の室内気圧が常時適正な陽圧になるように（差圧が適正な差圧の範囲内になるように、または、差圧が適正な差圧の値になるように）、モーターダンパ１７の旋回羽根３２の旋回角度を調節する。クリーンルーム１２の室内気圧が適正な陽圧に保持された後、コントローラ３３は、システム１０Ａ（方法）を停止するかを判断する（Ｓ−３）。システム１０Ａを続行する場合、コントローラ３３は、ステップ１（Ｓ−１）に戻り、クリーンルーム１２の室内気圧をリアルタイムかつ連続的に計測し、基準圧をリアルタイムかつ連続的に計測し、ステップ１からの手順を繰り返す。
【００７５】
室内気圧調節システム１０Ａおよび室内気圧調節方法は、中空管３８から伝達されたクリーンルーム１２の室内気圧と中空管３４から伝達された基準圧との差圧を計測し、計測した室内気圧と基準圧との差圧に基づいて、コントローラ３３（モーターダンパ１７）が基準圧に対する室内気圧を適正な陽圧に保持（計測した差圧を適正な差圧の範囲内に保持、または、計測した差圧を適正な差圧の値に保持）するために空気の排気量を調節するから、クリーンルーム１２の室内気圧を基準圧よりも高い適正な陽圧に常時保持することができる。
【００７６】
室内気圧調節システム１０Ａおよび室内気圧調節方法は、建造物１１の屋外における空気の基準圧の計測に一方向へ長い長尺の可撓性を有する中空管２３が使用され、風の影響によって空気第１出入口４２，４５Ａ，４５Ｂを有する検出端部３５の近傍の気圧が変動したとしても、中空管３４の内部の圧力抵抗によって気圧の変動に対する中空管３４内部における静圧の振幅の変動が検出端部３５から接続端部３７に向かって次第に小さくなるとともに、気圧の変動に対する中空管３４内部における静圧の周期が検出端部３５から接続端部３７に向かって次第に長くなるから、気圧の変動に対して中空管３４内部の静圧を安定化させることができ、基準圧の不規則かつ急激な変化を防ぐことができるとともに、コントローラ３３（モーターダンパ１７）に安定した基準圧を伝達することができる。
【００７７】
室内気圧調節システム１０Ａおよび室内気圧調節方法は、空気第１出入口４２，４５Ａ，４５Ｂを有する検出端部３５の近傍において気圧が変動したとしても、中空管３４によって安定した基準圧が伝達されるから、不規則かつ急激に変化する基準圧を使用することによるモーターダンパ１７の調節動作（制御動作）の誤作動や過作動を防止することができるとともに、基準圧に対するクリーンルーム１２の室内気圧を適正な陽圧に確実に保持することができ、外部からクリーンルーム１２への空気の流入を防ぐことができる。
【００７８】
次に、クリーンルーム１２の室内気圧を変動させる変動原因の発生時における室内気圧のコントロールの一例を説明すると、以下のとおりである。なお、変動原因が発生する以前におけるクリーンルーム１２の室内気圧は、コントローラ３３によって適正な陽圧に保持されている。また、発生した変動原因がなくなった場合、上述した変動原因の非発生時における室内気圧のコントロールによってクリーンルーム１２の室内気圧が適正な陽圧の範囲内に保持される。
【００７９】
給排気ファン１５，１６が稼働中に、給気ファン１５の風量が初期設定のそれよりも増加し、または、排気ファン１６の風量が初期設定のそれよりも減少し、クリーンルーム１２の室内気圧が基準圧に対して必要以上に陽圧になった場合（たとえば、基準圧から室内気圧を減算した差圧が＋２０Ｐａであって、差圧の適正な範囲が＋５〜＋１０Ｐａである場合、計測した差圧が適正な差圧の範囲内にない。または、基準圧から室内気圧を減算した差圧が＋２０Ｐａであって、差圧の適正な値が＋７Ｐａである場合、計測した差圧が適正な差圧の値でない。）、コントローラ３３は、計測した差圧が適正な差圧の範囲内となる室内気圧または計測した差圧が適正な差圧の値となる室内気圧を決定し、クリーンルーム１２の室内気圧が決定した室内気圧になるようにモーターダンパ１７の旋回羽根３２の旋回角度（ダンパ開度）を調節する（流量調節手段）。モーターダンパ１７では、そのダンパ開度が大きくなり、空気流路を通過する空気の流量（排気量）が大きくなってクリーンルーム１２の室内気圧が適正な陽圧の範囲内または適正な陽圧の値に保持される。
【００８０】
給排気ファン１５，１６が稼働中に、給気ファン１５の風量が初期設定のそれよりも減少し、または、排気ファン１６の風量が初期設定のそれよりも増加し、クリーンルーム１２の室内気圧が基準圧に対して適正な陽圧未満になった場合（たとえば、基準圧から室内気圧を減算した差圧が＋３Ｐａであって、差圧の適正な範囲が＋５〜＋１０Ｐａである場合、計測した差圧が適正な差圧の範囲内にない。）、または、負圧になった場合（たとえば、基準圧から室内気圧を減算した差圧が−２Ｐａであって、差圧の適正な範囲が＋５〜＋１０Ｐａである場合、計測した差圧が適正な差圧の範囲内にない。または、差圧の適正な値が＋７Ｐａである場合、計測した差圧が適正な差圧の値でない。）、コントローラ３３は、計測した差圧が適正な差圧の範囲内となる室内気圧または計測した差圧が適正な差圧の値となる室内気圧を決定し、クリーンルーム１２の室内気圧が決定した室内気圧になるようにモーターダンパ１７の旋回羽根３２の旋回角度（ダンパ開度）を調節する（流量調節手段）。モーターダンパ１７では、そのダンパ開度が小さくなり、空気流路を通過する空気の流量（排気量）が小さくなってクリーンルーム１２の室内気圧が適正な陽圧の範囲内または適正な陽圧の値に保持される。
【００８１】
クリーンルーム１２に設置された扉２７が開扉され、前記気圧比較手段によって比較した結果、クリーンルーム１２の室内気圧が適正な陽圧未満または負圧になった場合、コントローラ３３は、計測した差圧が適正な差圧の範囲内となる室内気圧または計測した差圧が適正な差圧の値となる室内気圧を決定し、クリーンルーム１２の室内気圧が決定した室内気圧になるようにモーターダンパ１７の旋回羽根３２の旋回角度（ダンパ開度）を調節する（流量調節手段）。モーターダンパ１７では、そのダンパ開度が小さくなり、空気流路を通過する空気の流量（排気量）が小さくなってクリーンルーム１２の室内気圧が適正な陽圧の範囲内または適正な陽圧の値に保持される。
【００８２】
開扉されていた扉２７が閉扉され、前記気圧比較手段によって比較した結果、クリーンルーム１２の室内気圧が基準圧に対して必要以上に陽圧になった場合、コントローラ３３は、計測した差圧が適正な差圧の範囲内となる室内気圧または計測した差圧が適正な差圧の値となる室内気圧を決定し、クリーンルーム１２の室内気圧が決定した室内気圧になるようにモーターダンパ１７の旋回羽根３２の旋回角度（ダンパ開度）を調節する（流量調節手段）。モーターダンパ１７では、そのダンパ開度が大きくなり、空気流路を通過する空気の流量（排気量）が大きくなってクリーンルーム１２の室内気圧が適正な陽圧の範囲内または適正な陽圧の値に保持される。
【００８３】
停止中の局所排気装置２４が稼働し、または、稼動中の局所給気装置２５が停止し、前記気圧比較手段によって比較した結果、クリーンルーム１２の室内気圧が基準圧に対して必要以上に陽圧になった場合、コントローラ３３は、計測した差圧が適正な差圧の範囲内となる室内気圧または計測した差圧が適正な差圧の値となる室内気圧を決定し、クリーンルーム１２の室内気圧が決定した室内気圧になるようにモーターダンパ１７の旋回羽根３２の旋回角度（ダンパ開度）を調節する（流量調節手段）。モーターダンパ１７では、そのダンパ開度が大きくなり、空気流路を通過する空気の流量（排気量）が大きくなってクリーンルーム１２の室内気圧が適正な陽圧の範囲内または適正な陽圧の値に保持される。
【００８４】
停止中の局所給気装置２５が稼動し、または、稼動中の局所排気装置２４が停止し、前記気圧比較手段によって比較した結果、クリーンルーム１２の室内気圧が適正な陽圧未満または負圧になった場合、コントローラ３３は、計測した差圧が適正な差圧の範囲内となる室内気圧または計測した差圧が適正な差圧の値となる室内気圧を決定し、クリーンルーム１２の室内気圧が決定した室内気圧になるようにモーターダンパ１７の旋回羽根３２の旋回角度（ダンパ開度）を調節する（流量調節手段）。モーターダンパ１７では、そのダンパ開度が小さくなり、空気流路を通過する空気の流量（排気量）が小さくなってクリーンルーム１２の室内気圧が適正な陽圧の範囲内または適正な陽圧の値に保持される。
【００８５】
室内気圧調節システム１０Ａおよび室内気圧調節方法は、各種の変動原因によってクリーンルーム１２の室内気圧が変動し、室内気圧が適正な陽圧の範囲から外れたとしても、計測した室内気圧と基準圧との差圧に基づいて、基準圧に対する室内気圧を陽圧に保持するために、コントローラ３３がモーターダンパ１７の空気流路における空気の流量を調節するから、クリーンルーム１２の室内気圧を速やかに適正な陽圧の範囲または適正な陽圧の値にすることができる。
【００８６】
図７は、他の一例として示す室内気圧調節システム１０Ｂの構成図である。図７に示すシステム１０Ｂが図１のそれと異なるところは、中空管３４が２つの検出端部３５Ａ，３５Ｂと２つの中間部３６Ａ，３６Ｂとを有する点、一方の検出端部３５Ａが第１の方角における屋外に設置され、他方の検出端部３５Ｂが第１の方角とは反対の第２の方角に設置されている点にあり、その他の構成要素は図１のシステム１０Ａと同一であるから、図１と同様の符号を付すとともに、図１の説明を援用し、このシステム１０Ｂにおけるその他の構成要素の詳細な説明は省略する。なお、図７では、２つの検出端部３５Ａ，３５Ｂおよび２つの中間部３６Ａ，３６Ｂを図示しているが、中空管３４が３つ以上の検出端部３５および３つ以上の中間部３６を有する場合もある。
【００８７】
室内気圧調節システム１０Ｂ（室内気圧調節方法）は、給気ダクト１３および排気ダクト１４と、給気ファン１５および排気ファン１６と、モーターダンパ１７および基準圧伝達装置１８とを備えている。基準圧計測器具１８は、図１のそれと同様に、長さ方向へ長い長尺の中空管３４から形成され、建造物１１の屋外における気圧（基準圧）をコントローラ３３に伝達する。中空管３４は、断面形状が円形のホースであり、曲げ延ばしが自在な可撓性を有する。中空管３４は、空気第１出入口４２，４５Ａ，４５Ｂを備えた検出端部３５と、中間部３６と、空気第２出入口を備えた接続端部３７とを有する。中空管３４は、検出端部３５と中間部３６と接続端部３７とにおいてそれら部３５〜３７の内部における気圧の伝達が遮断されないように設置されている。
【００８８】
中間部３６は、接続端部３７から分岐する２つの第１中間部３６Ａと第２中間部３６Ｂとから形成されている。それら中間部３６Ａ，３６Ｂは、コイル状に巻かれている。検出端部３５は、それら中間部３６Ａ，３６Ｂにつながる２つの第１検出端部３５Ａと第２検出端部３５Ｂとから形成されている。一方の検出端部３５Ａは、第１の方角（たとえば、建造物１１の北側）における建造物１１近傍の屋外に設置され、他方の検出端部３５Ｂは、第１の方角とは反対の第２の方角（たとえば、建造物１１の南側）における建造物１１近傍の屋外に設置されている。それら中間部３６Ａ，３６Ｂおよび接続端部３７は、建造物１１の屋内に設置されている。
【００８９】
中空管３４における空気第１出入口４２，４４Ａ，４４Ｂや空気第２出入口は、図１のシステム１０Ａにおいて説明したそれらと同一である（図２，３参照）。図３の空気第１出入口４４Ａ，４４Ｂを採用した場合の出入口４４Ａ，４４Ｂの開口面積は、図１のシステム１０Ａにおいて説明したそれと同一である。中空管３４の検出端部（３５Ａまたは３５Ｂ）から接続端部３７までの長さや中空管３４の検出端部３５Ａ，３５Ｂと中間部３６Ａ，３６Ｂと接続端部３７との内径Ｌは、図１のシステム１０Ａにおいて説明したそれらと同一である。
【００９０】
このシステム１０Ｂの基準圧計測器具１８では、屋外に吹く風の影響によって空気第１出入口４２，４４Ａ，４４Ｂを備えたそれら検出端部３５Ａ，３５Ｂの近傍の気圧が変動し、出入口４２，４４Ａ，４４Ｂに接する空気の気圧が大きく変化したとしても、中空管３４の圧力抵抗により、中空管３４内部の静圧の振幅の変動が検出端部３５Ａ，３５Ｂから接続端部３７に向かって次第に小さくなるとともに、中空管３４内部の静圧の周期が検出端部３５Ａ，３５Ｂから接続端部３７に向かって次第に長くなり、屋外に吹く風の影響による気圧変動に対して中空管３４内部の静圧が安定化するとともに、２つの検出端部３５Ａ，３５Ｂや２つの中間部３６Ａ，３６Ｂによって静圧が平均化される。したがって、中空管３４では、気圧変動に対してそれら検出端部３５Ａ，３５Ｂや端部３５Ａ，３５Ｂ近傍のそれら中間部３６Ａ，３６Ｂにおける静圧が不安定となったとしても、接続端部３７や端部３７近傍の中間部３６Ａ，３６Ｂにおける静圧が安定し、安定かつ平均化した基準圧が計測される。
【００９１】
図６を援用してこのシステム１０Ｂにおける変動原因の非発生時の室内気圧コントロールの一例を説明すると以下のとおりである。なお、このシステム１０Ｂにおける変動原因の非発生時の室内気圧コントロールの詳細については、図６のフローチャートを参照して説明した図１のシステム１０Ａの具体例を援用する。また、クリーンルーム１２の室内気圧を変動させる変動原因の発生時における室内気圧のコントロールは図１のシステム１０Ａにおいて説明したそれと同一であるから、図１のシステム１０Ａの説明を援用することで、その説明は省略する。
【００９２】
屋外の基準圧は、中空管３４から微差圧センサ（微差圧計）にリアルタイムかつ連続的に伝達され、クリーンルーム１２の室内気圧は、中空管３８から微差圧センサにリアルタイムかつ連続的に伝達される。微差圧センサは、室内気圧と基準圧との差圧をリアルタイムかつ連続的に計測し（たとえば、基準圧から室内気圧を減算、または、室内気圧から基準圧を減算）、計測した差圧をコントローラ３３に転送する（差圧計測手段）（Ｓ−１）。コントローラ３３は、差圧が適正な範囲内にあるかを判断する（差圧判断手段）（Ｓ−２）。または、差圧が適正な値であるかを判断する（差圧判断手段）（Ｓ−２）。コントローラ３３は、差圧判断手段によって判断した結果、差圧が適正な差圧の範囲内にある場合、または、差圧が適正な差圧の値である場合、モーターダンパ１７の旋回羽根３２の旋回角度（ダンパ開度）を現状のまま維持する。
【００９３】
ステップ２（Ｓ−２）においてコントローラ３３は、差圧判断手段によって判断した結果、差圧が適正な差圧の範囲内にない場合、または、差圧が適正な差圧の値でない場合、基準圧に対してクリーンルーム１２の室内気圧が適正な陽圧の範囲内になるように（差圧が適正な差圧の範囲内になるように、または、差圧が適正な差圧の値になるように）、モーターダンパ１７の旋回羽根３２の旋回角度（ダンパ開度）を微調節するフィードバック制御（制御動作）を実行し、開度制御信号をダンパ１７に出力し（Ｓ−４）、ダンパ１７の空気流路の開度を所定の開度に調節する（流量調節手段）。モーターダンパ１７では、その空気流路を通過する空気の流量が変更され（Ｓ−５）、それによってクリーンルーム１２の室内気圧が基準圧よりも高い適正な陽圧の範囲または適正な陽圧の値に保持される。
【００９４】
室内気圧調節システム１０Ｂおよび室内気圧調節方法は、図１のシステム１０Ａ（方法）が有する効果に加え、以下の効果を有する。システム１０Ｂおよび方法は、２つの中間部３６Ａ，３６Ｂおよび２つの検出端部３５Ａ，３５Ｂにおいて２箇所の基準圧を計測し、計測した２箇所の基準圧の平均を採ることができるから、基準圧を平均化することができ、１つ箇所において基準圧を計測することによる基準圧の偏りを防ぐことができる。
【００９５】
図８は、他の一例として示す室内気圧調節システム１０Ｃの構成図である。図８に示すシステム１０Ｃが図１のそれと異なるところは、中空管３４が２つの検出端部３５と２つの中間部３６Ａ，３６Ｂとを有する点、検出端部３５が中間部３６Ａ，３６Ｂから２つに分岐している点、一方の検出端部３５Ａ，３５Ｂが第１の方角における屋外に設置され、他方の検出端部３５Ｃ，３５Ｄが第１の方角とは反対の第２の方角に設置されている点にあり、その他の構成要素は図１のシステム１０Ａと同一であるから、図１と同様の符号を付すとともに、図１の説明を援用し、このシステム１０Ｃにおけるその他の構成要素の詳細な説明は省略する。なお、図８では、中間部３６から２つに分岐する検出端部３５を図示しているが、検出端部３５が中間部３６から３つ以上に分岐する場合もある。
【００９６】
室内気圧調節システム１０Ｃ（室内気圧調節方法）は、給気ダクト１３および排気ダクト１４と、給気ファン１５および排気ファン１６と、モーターダンパ１７および基準圧伝達装置１８とを備えている。基準圧計測器具１８は、図１のそれと同様に、長さ方向へ長い長尺の中空管３４から形成され、建造物１１の屋外における気圧（基準圧）をコントローラ３３に伝達する。中空管３４は、断面形状が円形のホースであり、曲げ延ばしが自在な可撓性を有する。中空管３４は、空気第１出入口４２，４５Ａ，４５Ｂを備えた検出端部３５と、中間部３６と、空気第２出入口を備えた接続端部３７とを有する。中空管３４は、検出端部３５と中間部３６と接続端部３７とにおいてそれら部３５〜３７の内部における気圧の伝達が遮断されないように設置されている。
【００９７】
中間部３６は、接続端部３７から分岐する２つの第１中間部３６Ａと第２中間部３６Ｂとから形成されている。それら中間部３６Ａ，３６Ｂは、コイル状に巻かれている。検出端部３５は、それら中間部３６Ａ，３６Ｂにつながって中間部３６Ａ，３６Ｂから２つに分岐する第１および第２検出端部３５Ａ，３５Ｂと第３および第４検出端部３５Ｃ，３５Ｄとから形成されている。一方の検出端部３５Ａ，３５Ｂは、第１の方角（たとえば、建造物の北側）における建造物近傍の屋外に設置され、他方の検出端部３５Ｃ，３５Ｄは、第１の方角とは反対の第２の方角（たとえば、建造物の南側）における建造物近傍の屋外に設置されている。それら中間部３６Ａ，３６Ｂおよび接続端部３７は、建造物１１の屋内に設置されている。
【００９８】
中空管３４における空気第１出入口４２，４４Ａ，４４Ｂや空気第２出入口は、図１のシステム１０Ａにおいて説明したそれらと同一である（図２，３参照）。図３の空気第１出入口４４Ａ，４４Ｂを採用した場合の出入口４４Ａ，４４Ｂの開口面積は、図１のシステム１０Ａにおいて説明したそれと同一である。中空管３４の検出端部（３５Ａ〜３５Ｄ）から接続端部３７までの長さや中空管３４の検出端部３５Ａ〜３５Ｄと中間部３６Ａ，３６Ｂと接続端部３７との内径Ｌは、図１のシステム１０Ａにおいて説明したそれらと同一である。
【００９９】
この基準圧計測器具１８では、屋外に吹く風の影響によって空気第１出入口４２，４４Ａ，４４Ｂを備えたそれら検出端部３５Ａ〜３５Ｄの近傍の気圧が変動し、出入口４２，４４Ａ，４４Ｂに接する空気の気圧が大きく変化したとしても、中空管３４の圧力抵抗により、中空管３４内部の静圧の振幅の変動が検出端部３５Ａ〜３５Ｄから接続端部３７に向かって次第に小さくなるとともに、中空管３４内部の静圧の周期が検出端部３５Ａ〜３５Ｄから接続端部３７に向かって次第に長くなり、屋外に吹く風の影響による気圧変動に対して中空管３４内部の静圧が安定化するとともに、それら検出端部３５Ａ〜３５Ｄやそれら中間部３６Ａ，３６Ｂによって静圧が平均化される。したがって、中空管３４では、気圧変動に対してそれら検出端部３５Ａ〜３５Ｄや端部３５Ａ〜３５Ｄ近傍のそれら中間部３６Ａ，３６Ｂにおける静圧が不安定となったとしても、接続端部３７や端部３７近傍の中間部３６Ａ，３６Ｂにおける静圧が安定し、安定かつ平均化した基準圧が計測される。
【０１００】
図６のフローチャートにおいて説明した図１のシステム１０Ａの具体例や図６のフローチャートを援用して説明した図７のシステム１０Ｂの例を援用することで、このシステム１０Ｃにおける変動原因の非発生時の室内気圧コントロールの説明は省略する。また、クリーンルーム１２の室内気圧を変動させる変動原因の発生時における室内気圧のコントロールは図１のシステム１０Ａにおいて説明したそれと同一であるから、図１のシステム１０Ａの説明を援用することで、その説明は省略する。
【０１０１】
室内気圧調節システム１０Ｃおよび室内気圧調節方法は、図１のシステム１０Ａ（方法）が有する効果に加え、以下の効果を有する。システム１０Ｃおよび方法は、検出端部３５Ａ，３５Ｂのうちの一方が何らかの原因によって閉塞し、または、検出端部３５Ｃ，３５Ｄのうちの一方が何らかの原因によって閉塞したとしても、他方の検出端部３５Ａ〜３５Ｄによって基準圧を計測することができ、検出端部３５Ａ〜３５Ｄが閉塞することによる基準圧の計測不能を防ぐことができる。また、２つの中間部３６Ａ，３６Ｂおよび２つの検出端部３５Ａ，３５Ｂにおいて２箇所の基準圧を計測し、計測した２箇所の基準圧の平均を採ることができるから、基準圧を平均化することができ、１つ箇所において基準圧を計測することによる基準圧の偏りを防ぐことができる。
【０１０２】
図９は、他の一例として示す室内気圧調節システム１０Ｄの構成図である。図９に示すシステム１０Ｄが図１のそれと異なるところは、検出端部３５とコイル状に巻かれた中間部３６とが筐体４７の内部に収容されている点にあり、その他の構成要素は図１のシステム１０Ａと同一であるから、図１と同様の符号を付すとともに、図１の説明を援用し、このシステム１０Ｃにおけるその他の構成要素の詳細な説明は省略する。
【０１０３】
室内気圧調節システム１０Ｄ（室内気圧調節方法）は、給気ダクト１３および排気ダクト１４と、給気ファン１５および排気ファン１６と、モーターダンパ１７および基準圧伝達装置１８とを備えている。基準圧計測器具１８は、図１のそれと同様に、長さ方向へ長い長尺の中空管３４から形成され、建造物１１の屋外における気圧（基準圧）をコントローラ３３に伝達する。中空管３４は、断面形状が円形のホースであり、曲げ延ばしが自在な可撓性を有する。中空管３４は、空気第１出入口４２，４５Ａ，４５Ｂを備えた検出端部３５と、中間部３６と、空気第２出入口を備えた接続端部３７とを有する。中空管３４は、その中間部３６がコイル状に巻かれている。中空管３４では、検出端部３５と中間部３６とが筐体４７（箱）の内部に収容され、接続端部３７が筐体４７から外側に露出している。中空管３４は、検出端部３５と中間部３６と接続端部３７とにおいてそれら部３５〜３７の内部における気圧の伝達が遮断されないように設置されている。
【０１０４】
筐体４７は、建造物１１近傍の屋外に設置されている。なお、筐体４７が建造物の屋内に設置される場合がある。筐体４７は、四角形の壁が互いに直交する六面体の箱であり、互いに対向する頂底壁４８，４９と、それら頂底壁４８，４９の間に延びる前後壁５０，５１と、頂底壁４８，４９の間に延びる両側壁５２，５３とから形成されている。前壁５０や後壁５１には、空気が通る矩形の空気流通窓５４が作られている。筐体４７は、空気流通窓５４から進入した空気が空気流通窓６４から外部に流出する。ゆえに、筐体４７は、通気性を有する。空気流通窓６４は、前後壁５０，５１のみならず、両側壁５２，５３に作られていてもよい。
【０１０５】
中空管３４における空気第１出入口４２，４４Ａ，４４Ｂや空気第２出入口は、図１のシステム１０Ａにおいて説明したそれらと同一である（図２，３参照）。図３の空気第１出入口４４Ａ，４４Ｂを採用した場合の出入口４４Ａ，４４Ｂの開口面積は、図１のシステム１０Ａにおいて説明したそれと同一である。中空管３４の検出端部３５から接続端部３７までの長さや中空管３４の検出端部３５と中間部３６と接続端部３７との内径Ｌは、図１のシステム１０Ａにおいて説明したそれらと同一である。
【０１０６】
図７に示すシステム１０Ｂの各中空管３４（基準圧計測器具１８）が筐体４７の内部に収容されていてもよい。この場合、検出端部３５Ａおよび中間部３６Ａが第１の筐体４７に収容され、検出端部３５Ｂおよび中間部３６Ｂが第２の筐体４７に収容される。図８に示すシステム１０Ｃの各中空管３４（基準圧計測器具１８）が筐体４７の内部に収容されていてもよい。この場合、検出端部３５Ａ，３５Ｂおよび中間部３６Ａが第１の筐体４７に収容され、検出端部３５Ｃ，３５Ｄおよび中間部３６Ｂが第２の筐体４７に収容される。
【０１０７】
このシステム１０Ｄの基準圧計測器具１８では、屋外に吹く風の影響によって空気第１出入口４２，４４Ａ，４４Ｂを備えた検出端部３５の近傍の気圧が変動し、出入口４２，４４Ａ，４４Ｂに接する空気の気圧が大きく変化したとしても、中空管３４の圧力抵抗により、中空管３４内部の静圧の振幅の変動が検出端部３５から接続端部３７に向かって次第に小さくなるとともに、中空管３４内部の静圧の周期が検出端部３５から接続端部３７に向かって次第に長くなり、屋外に吹く風の影響による気圧変動に対して中空管３４内部の静圧が安定化するとともに、検出端部３５や中間部３６によって静圧が平均化される。したがって、中空管３４では、気圧変動に対してそれら検出端部３５や端部３５近傍のそれら中間部３６における静圧が不安定となったとしても、接続端部３７や端部３７近傍の中間部３６における静圧が安定し、安定かつ平均化した基準圧が計測される。
【０１０８】
図６のフローチャートにおいて説明した図１のシステム１０Ａの具体例を援用することで、このシステム１０Ｄにおける変動原因の非発生時の室内気圧コントロールの説明は省略する。また、クリーンルーム１２の室内気圧を変動させる変動原因の発生時における室内気圧のコントロールは図１のシステム１０Ａにおいて説明したそれと同一であるから、図１のシステム１０Ａの説明を援用することで、その説明は省略する。
【０１０９】
室内気圧調節システム１０Ｄおよび室内気圧調節方法は、図１のシステム１０Ａ（方法）が有する効果に加え、以下の効果を有する。システム１０Ｄおよび方法は、検出端部３５と中間部３６とが筐体４７に収容されていない場合と比較し、空気第１出入口４２，４４Ａ，４４Ｂを備えた検出端部３５が受ける風の影響を筐体４７によって緩和することができるから、空気第１出入口４２，４４Ａ，４４Ｂから出入する空気量の大きな変動を防ぐことができ、中空管３４内部の静圧の不規則かつ急激な変化を防ぐことができる。
【０１１０】
図１０は、他の一例として示す室内気圧調節システム１０Ｅの構成図である。図１０に示すシステム１０Ｅが図１のそれと異なるところは、２つのクリーンルーム１２Ａ，１２Ｂの室内気圧をコントロールする点、ヘッダーパイプ５６を介して基準圧が分配される点にあり、その他の構成要素は図１のシステム１０Ａと同一であるから、図１と同様の符号を付すとともに、図１の説明を援用し、このシステム１０Ｅにおけるその他の構成要素の詳細な説明は省略する。なお、図１０では２室のクリーンルーム１２Ａ，１２Ｂを図示しているが、クリーンルームを２室に限定するものではなく、３室以上のクリーンルームに対してこのシステム１０Ｅの室内気圧コントロールを適用することもできる。
【０１１１】
室内気圧調節システム１０Ｅ（室内気圧調節方法）は、建造物１１の屋外の空気を第１および第２クリーンルーム１２Ａ，１２Ｂに供給する給気ダクト１３と、それらクリーンルーム１２Ａ，１２Ｂから建造物１１の屋外に空気を排出する排気ダクト１４と、それらクリーンルーム１２Ａ，１２Ｂに空気を給気する給気ファン１５（給気装置）と、それらクリーンルーム１２Ａ，１２Ｂから空気を排気する排気ファン１６（排気装置）と、第１および第２モーターダンパ１７Ａ，１７Ｂおよび基準圧伝達装置１８とを備えている。
【０１１２】
それらクリーンルーム１２Ａ，１２Ｂは、所定容積の気密な空調空間を有し、天井１９、床２０、前後壁２１，２２、側壁２３によって室外と仕切られている。クリーンルーム１２Ａとクリーンルーム１２Ｂとは、仕切り壁５５によって仕切られている。それらクリーンルーム１２Ａ，１２Ｂには、室内の空気を部分的に排気する局所排気装置２４が設置され、空気を室内に部分的に給気する局所給気装置２５が設置されている。前壁２１には、クリーンルーム１２Ａに出入りするための扉２７Ａが設置され、後壁２２には、クリーンルーム１２Ｂに出入りするための扉２７Ｃが設置されている。仕切り壁５５には、クリーンルーム１２Ａからクリーンルーム１２Ｂに出入りするための扉２７Ｂが設置されている。このシステム１０Ｅでは、その稼働中にクリーンルーム１２Ａ，１２Ｂの室内気圧が厳密に管理され、室内気圧が基準圧よりも高い適正範囲の陽圧に保持されている。
【０１１３】
給気ダクト１３は、クリーンルーム１２Ａ，１２Ｂの天井１９に施設された給気口につながり、建造物１１の屋外とクリーンルーム１２Ａ，１２Ｂとを連結している。排気ダクト１４は、クリーンルーム１２Ａ，１２Ｂの側壁２３に施設された排気口２６につながり、建造物１１の屋外とクリーンルーム１２Ａ，１２Ｂとを連結している。給気ファン１５は、給気ダクト１３に設置され、所定量の空気をクリーンルーム１２Ａ，１２Ｂに強制的に給気する。排気ファン１６は、排気ダクト１４に設置され、所定量の空気をクリーンルーム１２Ａ，１２Ｂから強制的に排気する。
【０１１４】
モーターダンパ１７Ａ，１７Ｂは、クリーンルーム１２Ａ，１２Ｂと排気ファン１６との間に延びる排気ダクト１４に設置されている。モーターダンパ１７Ａ，１７Ｂでは、旋回羽根３２の旋回角度（ダンパ開度）によってクリーンルーム１２Ａ，１２Ｂから排気される空気の流量を調節する。なお、モーターダンパ１７Ａ，１７Ｂがクリーンルーム１２Ａ，１２Ｂと給気ファン１５との間に延びる給気ダクト１３に設置されていてもよい。この場合は、旋回羽根３２の旋回角度（ダンパ開度）によってクリーンルーム１２Ａ，１２Ｂに給気される空気の流量を調節する。
【０１１５】
モーターダンパ１７Ａ，１７Ｂには、コントローラ３３Ａ，３３Ｂ（制御装置）が附属している。それらコントローラ３３Ａ，３３Ｂには、基準圧計測器具１８が接続されている。コントローラ３３Ａ，３３Ｂの主記憶装置には、クリーンルーム１２Ａ，１２Ｂの室内気圧に対する適正な陽圧（室内気圧よりも高い適正な気圧）の値（適正な範囲の陽圧値または適正な１つの陽圧値）が格納されている。コントローラ３３の主記憶装置には、クリーンルーム１２Ａ，１２Ｂの室内気圧とモーターダンパ１７Ａ，１７Ｂの空気流路を通過する空気量との相関関係が格納され、室内気圧に対応する空気量とその空気量に対応するモーターダンパ１７Ａ，１７Ｂの旋回羽根３２の旋回角度（ダンパ開度）との相関関係が格納されている。
【０１１６】
コントローラ３３Ａ，３３Ｂは、モーターダンパ１７Ａ，１７Ｂの旋回羽根３２の旋回角度（ダンパ開度）を所定の角度（所定の開度）に設定または所定の角度を変更する開度制御信号をダンパ１７Ａ，１７Ｂに出力することで、空気流路の開度を所定の開度に調節する。モーターダンパ１７Ａ，１７Ｂでは、コントローラ３３Ａ，３３Ｂから出力された開度制御信号によってモジュトロールモータが回転し、それによって旋回羽根３２が所定角度に旋回する。旋回羽根３２が所定角度に旋回すると、ダンパ１７Ａ，１７Ｂの空気流路の開度が変わり、空気流路を通過する空気の流量が変更されてクリーンルーム１２Ａ，１２Ｂの室内気圧が変わる。
【０１１７】
それらクリーンルーム１２Ａ，１２Ｂでは、稼働中の給排気ファン１５，１６のうちの少なくとも一方の風量変化、クリーンルーム１２Ａ，１２Ｂに設置された扉２７Ａ〜２７Ｃの開閉、クリーンルーム１２Ａ，１２Ｂに設置された停止中の局所排気装置２４または局所給気装置２５の稼動、稼動中の局所排気装置２４または局所給気装置２５の停止のうちの少なくとも１つの変動原因によってその室内気圧が大きく変動する。
【０１１８】
基準圧計測器具１８は、図１のそれと同様に、長さ方向へ長い長尺の中空管３４から形成され、建造物１１の屋外における気圧（基準圧）をコントローラ３３Ａ，３３Ｂに伝達する。中空管３４は、断面形状が円形のホースであり、曲げ延ばしが自在な可撓性を有する。中空管３４は、空気第１出入口４２，４５Ａ，４５Ｂを備えた検出端部３５と、コイル状に巻かれた中間部３６と、空気第２出入口を備えた接続端部３７とを有する。中間部３６および接続端部３７は、建造物１１の屋内に設置されている。
【０１１９】
中間部３６から延びる接続端部３７は、ヘッダーパイプ５６（分配器）に接続された後、ヘッダーパイプ５６から２つに分岐している。ヘッダーパイプ５６から分岐した一方の接続端部３７は、コントローラ３３Ａに接続され、他方の接続端部３７は、コントローラ３３Ｂに接続されている。ヘッダーパイプ５６は、中空管３４によって伝達される基準圧をそれらコントローラ３３Ａ，３３Ｂに分配する。中空管３４は、検出端部３５と中間部３６と接続端部３７とにおいてそれら部３５〜３７の内部における気圧の伝達が遮断されないように設置されている。
【０１２０】
それらコントローラ３３Ａ，３３Ｂには、中空管３４の他に、クリーンルーム１２Ａ，１２Ｂの室内気圧を伝達する中空管３８が設置されている。中空管３８は、その一端部３９がクリーンルーム１２Ａ，１２Ｂの室内に設置手段を介してずれ動きがないように設置され、その他端部４０がコントローラ３３Ａ，３３Ｂに接続されている。中空管３８の一端部３９や他端部４０には、開口が形成されている。
【０１２１】
中空管３４における空気第１出入口４２，４４Ａ，４４Ｂや空気第２出入口は、図１のシステム１０Ａにおいて説明したそれらと同一である（図２，３参照）。図３の空気第１出入口４４Ａ，４４Ｂを採用した場合の出入口４４Ａ，４４Ｂの開口面積は、図１のシステム１０Ａにおいて説明したそれと同一である。中空管３４の検出端部３５から接続端部３７までの長さや中空管３４の検出端部３５と中間部３６と接続端部３７との内径Ｌは、図１のシステム１０Ａにおいて説明したそれらと同一である。
【０１２２】
このシステム１０Ｅの基準圧計測器具１８では、屋外に吹く風の影響によって空気第１出入口４２，４４Ａ，４４Ｂを備えた検出端部３５の近傍の気圧が変動し、出入口４２，４４Ａ，４４Ｂに接する空気の気圧が大きく変化したとしても、中空管３４の圧力抵抗により、中空管３４内部の静圧の振幅の変動が検出端部３５から接続端部３７に向かって次第に小さくなるとともに、中空管３４内部の静圧の周期が検出端部３５から接続端部３７に向かって次第に長くなり、屋外に吹く風の影響による気圧変動に対して中空管３４内部の静圧が安定化する。したがって、中空管３４では、気圧変動に対してそれら検出端部３５や端部３５近傍のそれら中間部３６における静圧が不安定となったとしても、接続端部３７や端部３７近傍の中間部３６における静圧が安定し、安定した基準圧が計測される。
【０１２３】
図６を援用してこのシステム１０Ｅにおける変動原因の非発生時の室内気圧コントロールの一例を説明すると以下のとおりである。なお、このシステム１０Ｅにおける変動原因の非発生時の室内気圧コントロールの詳細については、図６のフローチャートを参照して説明した図１のシステム１０Ａの具体例を援用する。また、クリーンルーム１２Ａ，１２Ｂの室内気圧を変動させる変動原因の発生時における室内気圧のコントロールは図１のシステム１０Ａにおいて説明したそれと同一であるから、図１のシステム１０Ａの説明を援用することで、その説明は省略する。
【０１２４】
屋外の基準圧は、中空管３４から微差圧センサ（微差圧計）にリアルタイムかつ連続的に伝達され、クリーンルーム１２の室内気圧は、中空管３８から微差圧センサにリアルタイムかつ連続的に伝達される。微差圧センサは、室内気圧と基準圧との差圧をリアルタイムかつ連続的に計測し（たとえば、基準圧から室内気圧を減算、または、室内気圧から基準圧を減算）、計測した差圧をコントローラ３３Ａ，３３Ｂに転送する（差圧計測手段）（Ｓ−１）。コントローラ３３Ａ，３３Ｂは、差圧が適正な範囲内（あらかじめ設定された差圧の適正な範囲内）にあるかを判断する（差圧判断手段）（Ｓ−２）。または、差圧が適正な値（あらかじめ設定された差圧の適正な値）であるかを判断する（差圧判断手段）（Ｓ−２）。コントローラ３３Ａ，３３Ｂは、差圧判断手段によって判断した結果、差圧が適正な差圧の範囲内にある場合、または、差圧が適正な差圧の値である場合、モーターダンパ１７Ａ，１７Ｂの旋回羽根３２の旋回角度（ダンパ開度）を現状のまま維持する。
【０１２５】
ステップ２（Ｓ−２）においてコントローラ３３Ａ，３３Ｂは、差圧判断手段によって判断した結果、差圧が適正な差圧の範囲内にない場合、または、差圧が適正な差圧の値でない場合、基準圧に対してクリーンルーム１２Ａ，１２Ｂの室内気圧が適正な陽圧の範囲内になるように（差圧が適正な差圧の範囲内になるように、または、差圧が適正な差圧の値になるように）、モーターダンパ１７Ａ，１７Ｂの旋回羽根３２の旋回角度（ダンパ開度）を微調節するフィードバック制御（制御動作）によって開度制御信号をダンパ１７に出力し（Ｓ−４）、ダンパ１７Ａ，１７Ｂの空気流路の開度を所定の開度に調節する（流量調節手段）。モーターダンパ１７Ａ，１７Ｂでは、その空気流路を通過する空気の流量が変更され（Ｓ−５）、それによってクリーンルーム１２Ａ，１２Ｂの室内気圧が基準圧よりも高い適正な陽圧の範囲または適正な陽圧の値に保持される。
【０１２６】
室内気圧調節システム１０Ｅおよび室内気圧調節方法は、中空管３８から伝達されたクリーンルーム１２Ａ，１２Ｂの室内気圧と中空管３４から伝達された基準圧との差圧を計測し、計測した室内気圧と基準圧との差圧に基づいて、コントローラ３３Ａ，３３Ｂ（モーターダンパ１７Ａ，１７Ｂ）が基準圧に対する室内気圧を適正な陽圧に保持（計測した差圧を適正な差圧の範囲内に保持、または、計測した差圧を適正な差圧の値に保持）するために空気の排気量を調節するから、クリーンルーム１２Ａ，１２Ｂの室内気圧を基準圧よりも高い適正な陽圧に常時保持することができる。
【０１２７】
室内気圧調節システム１０Ｅおよび室内気圧調節方法は、建造物１１の屋外における空気の基準圧の計測に一方向へ長い長尺の可撓性を有する中空管２３が使用され、風の影響によって空気第１出入口４２，４５Ａ，４５Ｂを有する検出端部３５の近傍の気圧が変動したとしても、中空管３４の内部の圧力抵抗によって気圧の変動に対する中空管３４内部における静圧の振幅の変動が検出端部３５から接続端部３７に向かって次第に小さくなるとともに、気圧の変動に対する中空管３４内部における静圧の周期が検出端部３５から接続端部３７に向かって次第に長くなるから、気圧の変動に対して中空管３４内部の静圧を安定化させることができ、基準圧の不規則かつ急激な変化を防ぐことができるとともに、コントローラ３３Ａ，３３Ｂ３３（モーターダンパ１７Ａ，１７Ｂ）に安定した基準圧を伝達することができる。
【０１２８】
室内気圧調節システム１０Ｅおよび室内気圧調節方法は、空気第１出入口４２，４５Ａ，４５Ｂを有する検出端部３５の近傍において気圧が変動したとしても、中空管３４によって安定した基準圧が伝達されるから、不規則かつ急激に変化する基準圧を使用することによるモーターダンパ１７Ａ，１７Ｂの調節動作（制御動作）の誤作動や過作動を防止することができるとともに、基準圧に対するクリーンルーム１２Ａ，１２Ｂの室内気圧を適正な陽圧に確実に保持することができ、外部からクリーンルーム１２Ａ，１２Ｂへの空気の流入を防ぐことができる。
【０１２９】
図１１は、他の一例として示す室内気圧調節システム１０Ｆの構成図である。図１１に示すシステム１０Ｆが図１０のそれと異なるところは、中空管３４が２つの検出端部３５Ａ，３５Ｂと２つの中間部３６Ａ，３６Ｂとを有する点、一方の検出端部３５Ａが第１の方角における屋外に設置され、他方の検出端部３５Ｂが第１の方角とは反対の第２の方角に設置されている点にあり、その他の構成要素は図１１のシステム１０Ｅと同一であるから、図１や図１１と同様の符号を付すとともに、図１や図１１の説明を援用し、このシステム１０Ｆにおけるその他の構成要素の詳細な説明は省略する。
【０１３０】
室内気圧調節システム１０Ｆ（室内気圧調節方法）は、給気ダクト１３および排気ダクト１４と、給気ファン１５および排気ファン１６と、モーターダンパ１７Ａ，１７Ｂおよび基準圧伝達装置１８とを備えている。基準圧計測器具１８は、図１のそれと同様に、長さ方向へ長い長尺の中空管３４から形成され、建造物１１の屋外における気圧（基準圧）をコントローラ３３Ａ，３３Ｂに伝達する。中空管３４は、断面形状が円形のホースであり、曲げ延ばしが自在な可撓性を有する。中空管３４は、空気第１出入口４２，４５Ａ，４５Ｂを備えた検出端部３５と、中間部３６と、空気第２出入口を備えた接続端部３７とを有する。
【０１３１】
中間部３６は、接続端部３７から分岐する２つの第１中間部３６Ａと第２中間部３６Ｂとから形成されている。それら中間部３６Ａ，３６Ｂは、コイル状に巻かれている。検出端部３５は、それら中間部３６Ａ，３６Ｂにつながる２つの第１検出端部３５Ａと第２検出端部３５Ｂとから形成されている。一方の検出端部３５Ａは、第１の方角（たとえば、建造物１１の北側）における建造物１１近傍の屋外に設置され、他方の検出端部３５Ｂは、第１の方角とは反対の第２の方角（たとえば、建造物１１の南側）における建造物１１近傍の屋外に設置されている。それら中間部３６Ａ，３６Ｂおよび接続端部３７は、建造物１１の屋内に設置されている。
【０１３２】
中間部３６から延びる接続端部３７は、ヘッダーパイプ５６（分配器）に接続された後、ヘッダーパイプ５６から２つに分岐している。ヘッダーパイプ５６から分岐した一方の接続端部３７は、コントローラ３３Ａに接続され、他方の接続端部３７は、コントローラ３３Ｂに接続されている。ヘッダーパイプ５６は、中空管３４によって伝達される基準圧をそれらコントローラ３３Ａ，３３Ｂに分配する。中空管３４は、検出端部３５と中間部３６と接続端部３７とにおいてそれら部３５〜３７の内部における気圧の伝達が遮断されないように設置されている。
【０１３３】
中空管３４における空気第１出入口４２，４４Ａ，４４Ｂや空気第２出入口は、図１のシステム１０Ａにおいて説明したそれらと同一である（図２，３参照）。図３の空気第１出入口４４Ａ，４４Ｂを採用した場合の出入口４４Ａ，４４Ｂの開口面積は、図１のシステム１０Ａにおいて説明したそれと同一である。中空管３４の検出端部（３５Ａまたは３５Ｂ）から接続端部３７までの長さや中空管３４の検出端部３５Ａ，３５Ｂと中間部３６Ａ，３６Ｂと接続端部３７との内径Ｌは、図１のシステム１０Ａにおいて説明したそれらと同一である。
【０１３４】
このシステム１０Ｅの基準圧計測器具１８では、屋外に吹く風の影響によって空気第１出入口４２，４４Ａ，４４Ｂを備えた検出端部３５の近傍の気圧が変動し、出入口４２，４４Ａ，４４Ｂに接する空気の気圧が大きく変化したとしても、中空管３４の圧力抵抗により、中空管３４内部の静圧の振幅の変動が検出端部３５Ａ，３５Ｂから接続端部３７に向かって次第に小さくなるとともに、中空管３４内部の静圧の周期が検出端部３５Ａ，３５Ｂから接続端部３７に向かって次第に長くなり、屋外に吹く風の影響による気圧変動に対して中空管３４内部の静圧が安定化するとともに、検出端部３５Ａ，３５Ｂや中間部３６Ａ，３６Ｂによって静圧が平均化される。したがって、中空管３４では、気圧変動に対してそれら検出端部３５Ａ，３５Ｂや端部３５Ａ，３５Ｂ近傍のそれら中間部３６Ａ，３６Ｂにおける静圧が不安定となったとしても、接続端部３７や端部３７近傍の中間部３６Ａ，３６Ｂにおける静圧が安定し、安定かつ平均化した基準圧が計測される。
【０１３５】
図６のフローチャートにおいて説明した図１のシステム１０Ａの具体例や図６のフローチャートを援用して説明した図１１のシステム１０Ｅの例を援用することで、このシステム１０Ｆにおける変動原因の非発生時の室内気圧コントロールの説明は省略する。また、クリーンルーム１２Ａ，１２Ｂの室内気圧を変動させる変動原因の発生時における室内気圧のコントロールは図１のシステム１０Ａにおいて説明したそれと同一であるから、図１のシステム１０Ａの説明を援用することで、その説明は省略する。
【０１３６】
室内気圧調節システム１０Ｆおよび室内気圧調節方法は、図１１のシステム１０Ｅ（方法）が有する効果に加え、以下の効果を有する。システム１０Ｆおよび方法は、２つの中間部３６Ａ，３６Ｂおよび２つの検出端部３５Ａ，３５Ｂにおいて２箇所の基準圧を計測し、計測した２箇所の基準圧の平均を採ることができるから、基準圧を平均化することができ、１つ箇所において基準圧を計測することによる基準圧の偏りを防ぐことができる。
【符号の説明】
【０１３７】
１０Ａ〜１０Ｆ  室内気圧調節システム
１１    建造物
１２    クリーンルーム
１２Ａ  第１クリーンルーム
１２Ｂ  第２クリーンルーム
１３    給気ダクト
１４    排気ダクト
１５    給気ファン（給気装置）
１６    排気ファン（排気装置）
１７    モーターダンパ
１７Ａ，１７Ｂ  モーターダンパ
１８    基準圧伝達装置
２４    局所排気装置
２５    局所給気装置
２７    扉
２７Ａ〜２７Ｃ  扉
３２    旋回羽根
３３    コントローラ
３３Ａ，３３Ｂ  コントローラ
３４    中空管
３５    検出端部
３５Ａ，３５Ｂ  検出端部
３６    中間部
３６Ａ，３６Ｂ  中間部
３７    接続端部
４４    周側面
４５Ａ，４５Ｂ  空気第１出入口
４６    内周面
４７    筐体
５４    空気流通窓
５６    ヘッダーパイプ（分配器）
【図１】
0005782322.tif 000002
【図２】
0005782322.tif 000003
【図３】
0005782322.tif 000004
【図４】
0005782322.tif 000005
【図５】
0005782322.tif 000006
【図６】
0005782322.tif 000007
【図７】
0005782322.tif 000008
【図８】
0005782322.tif 000009
【図９】
0005782322.tif 000010
【図１０】
0005782322.tif 000011
【図１１】
0005782322.tif 000012